(57)【特許請求の範囲】
【請求項１】
セルリソース管理を容易にする方法であって、
セルの通信帯域幅を複数のサブ帯域に分割することと；
前記複数のサブ帯域を、複数のグループの複数のサブ帯域にグループ化することと、なお、前記複数のグループの各々における前記複数のサブ帯域は、同じまたは同様なオペレーショナル特性を備えた複数のサブ帯域を備え、複数のグループのうちの少なくとも２つは、互いに異なるアップリンクロードメトリクスと関連付けられ、前記複数のグループの各々は、複数のデバイスに割り当て可能である；
複数のサブ帯域の前記複数のグループにおいて、異なる複数のサブ帯域グループについて、異なるアップリンクロードメトリックオペレーションを可能にすることによって、前記セルにおけるパワーロード条件を制御することと；
を備える方法。
【請求項２】
制御のために割り付けられたビットの機能として制御コマンドの伝送を変更すること、をさらに備える請求項１に記載の方法。
【請求項３】
伝送を変更することは、前記セルにおけるユーザ機器（ＵＥ）のインデックス、前記セルにおける前記複数のサブ帯域、または、部分周波数繰り返し要因のうちの少なくとも１つに従う、請求項２に記載の方法。
【請求項４】
前記アップリンクロードメトリックオペレーションが周波数ドメインにある、
請求項１に記載の方法。
【請求項５】
前記アップリンクロードメトリックオペレーションが時間ドメインにある、
請求項１に記載の方法。
【請求項６】
前記アップリンクロードメトリックオペレーションが周波数ドメインおよび時間ドメインの組み合わせにおいてある、請求項１に記載の方法。
【請求項７】
一度に無線で、前記複数のグループの複数のサブ帯域においてサブ帯域グループの１つのサブ帯域グループロード制御を送信し、時間にわたって、複数のサブ帯域の全部の複数のグループを通じてサイクルすること、をさらに備える請求項１に記載の方法。
【請求項８】
セルリソース管理を容易にする装置であって、
セルの通信帯域幅を複数のサブ帯域に分割するための手段と；
前記複数のサブ帯域を、複数のグループの複数のサブ帯域にグループ化するための手段と、なお、前記複数のグループの各々における前記複数のサブ帯域は、同じまたは同様なオペレーショナル特性を備えた複数のサブ帯域を備え、複数のグループのうちの少なくとも２つは、互いに異なるアップリンクロードメトリクスと関連付けられ、前記複数のグループの各々は、複数のデバイスに割り当て可能である；
複数のサブ帯域の前記複数のグループにおいて、異なる複数のサブ帯域グループについて異なるアップリンクロードメトリックオペレーションを可能にするための手段と；
を備える装置。
【請求項９】
制御のために割り付けられたビットの機能として制御コマンドの伝送を変更するための手段、をさらに備える請求項８に記載の装置。
【請求項１０】
伝送を変更することは、前記セルにおけるユーザ機器（ＵＥ）のインデックス、前記セルにおける前記複数のサブ帯域、または、部分周波数繰り返し要因のうちの少なくとも１つに従う、請求項９に記載の装置。
【請求項１１】
前記アップリンクロードメトリックオペレーションが周波数ドメインにある、
請求項８に記載の装置。
【請求項１２】
前記アップリンクロードメトリックオペレーションが時間ドメインにある、
請求項８に記載の装置。
【請求項１３】
前記アップリンクロードメトリックオペレーションが周波数ドメインおよび時間ドメインの組み合わせにおいてある、請求項８に記載の装置。
【請求項１４】
一度に無線で、前記複数のグループの複数のサブ帯域において、１サブ帯域グループの１つのサブ帯域グループロード制御を送信し、時間にわたって複数のサブ帯域の全部の複数のグループを通じてサイクルするための手段、をさらに備える請求項８に記載の装置。
【請求項１５】
セルの通信帯域幅を複数のサブ帯域に分割し；
前記分割された複数のサブ帯域を、複数のグループの複数のサブ帯域にグループ化し、なお、前記複数のグループの各々における前記複数のサブ帯域は、同じまたは同様なオペレーショナル特性を備えた複数のサブ帯域を備え、複数のグループのうちの少なくとも２つは、互いに異なるアップリンクロードメトリクスと関連付けられ、前記複数のグループの各々は、複数のデバイスに割り当て可能である；そして、
複数のサブ帯域の前記複数のグループにおいて、異なる複数のサブ帯域グループについて異なるアップリンクロードメトリックオペレーションを可能にする；
ためのコード、
を備える非一時的なコンピュータ可読媒体。
【請求項１６】
無線通信システムにおいて動作可能な装置であって、
セルの通信帯域幅を複数のサブ帯域に分割すること；
前記分割したサブ帯域を複数のサブ帯域のグループにグループ化すること、なお、前記複数のグループの各々における前記複数のサブ帯域は、同じまたは同様なオペレーショナル特性を備えた複数のサブ帯域を備え、複数のグループのうち少なくとも２つは、互いに異なるアップリンクロードメトリクスと関連付けられ、前記複数のグループの各々は、複数のデバイスに割り当て可能である；および、
複数のサブ帯域の前記複数のグループにおいて、異なる複数のサブ帯域グループについて異なるアップリンクロードメトリックオペレーションを可能にすること；
のために構成された、プロセッサと、
データを保存するための、前記プロセッサに結合されたメモリと、
を備える装置。
【請求項１７】
前記アップリンクロードメトリックオペレーションを可能にすることは、前記異なる複数のサブ帯域グループにわたって制御およびデータトラフィックのための異なる特性を可能にする、請求項１に記載の方法。
【請求項１８】
前記可能にするための手段は、前記異なる複数のサブ帯域グループが制御およびデータトラフィックのための異なる特性を利用するように、アップリンクロードメトリックオペレーションを可能にする、請求項８に記載の装置。
【発明の詳細な説明】
【相互参照】
【０００１】
（関連出願に対する相互参照）
本出願は、２００６年１１月１日に出願され、「サブ帯域依存アップリンクロード管理(SUB-BAND DEPENDENT UPLINK LOAD MANAGEMENT)」と題された、米国仮特許出願第６０／８６３，８８９号と、２００６年１１月６日に出願され、「アップリンク通信のためのサブ帯域依存ロード制御オペレーションのための方法および装置(A METHOD AND APPARATUS FOR SUB-BAND DEPENDENT LOAD CONTROL OPERATIONS FOR UPLINK COMMUNICATIONS)」と題された、米国仮特許出願第６０／８６４，５７９号と、の優先権を主張する。前述の出願の全体は、参照によってここに組込まれている。
【背景】
【０００２】
（分野）
次の説明は、無線通信に一般に関し、また、より具体的には、無線通信システムにおけるリソース管理に関する。
【０００３】
（背景）
無線通信ネットワーク（例えば、周波数分割技術、時分割技術、そして符号分割技術を使用している）は、カバレッジエリアを供給する１つまたは複数の基地局と、カバレッジエリア内でデータを送信し受信することができる１つまたは複数のモバイル（例えば無線の）端末と、を含んでいる。典型的な基地局は、ブロードキャストサービス、マルチキャストサービス、および／またはユニキャストサービス、についてマルチプルデータストリーム(multiple data streams)を同時に送信することができ、ここで、データストリームは、モバイル端末に対する独立受信対象(independent reception interest)であることができるデータのストリームである。基地局のカバレッジエリア内のモバイル端末は、合成ストリーム(composite stream)によって搬送される１つの、１つよりも多い、あるいはすべての、データストリームを受信することにおいて、関係することができる(can be interested in)。同様に、モバイル端末は、基地局、他の局、あるいは他のモバイル端末に対して、データを送信することができる。各端末は、順方向リンク上および逆方向リンク上の伝送を介して、１つ以上の基地局と通信する。順方向リンク（あるいはダウンリンク）は、基地局から端末までの通信リンクを指しており、逆方向リンク（あるいはアップリンク）は、端末から基地局までの通信リンクを指している。この通信リンクは、単一入力単一出力(single-in-single-out)、複合入力シグナル出力(multiple-in-signal-out)、複合入力復号出力(multiple-in-multiple-out)（ＭＩＭＯ）システム、を介して確立されることができる。
【０００４】
モバイル通信ネットワーク（例えばセル電話ネットワーク）内の情報を送信するために使用される従来の技術は、周波数分割、時分割、および符号分割ベースの技術を含んでいる。一般に、周波数分割ベースの技術を用いて、呼び出しは、周波数アクセス方法に基づいて分割されており、ここにおいて、それぞれの呼び出しは、個別の周波数に認められる(placed on)。時分割ベースの技術を用いて、それぞれの呼び出しは、指定された周波数上で時間のある部分が割り当てられる。符号分割ベースの技術を用いて、それぞれの呼び出しは、固有のコードに関連づけられており、利用可能な周波数にわたって拡散される(spread over)。それぞれの技術は、１人以上のユーザによるマルチプルアクセス(multiple access)をサービスする(accommodate)ことができる。
【０００５】
時分割ベースの技術を用いて、帯域は、連続的なタイムスライスあるいはタイムスロット(sequential time slices or time slots)に、タイムワイズ(time-wise)で分割される。チャネルの各ユーザは、ラウンドロビン方法(round-robin manner)で、情報を送信し、受信するためのタイムスライスを、供給される。例えば、いずれの与えられた時間ｔにおいて、ユーザは、短いバーストの間、チャネルに対するアクセスを供給される。そのあと、アクセスは、情報を送信し受信するために、短い時間のバースト(a short burst of time)を供給される別のユーザへと切り替える。「交代する(taking turns)」サイクルは、継続しており、また、次第に、各ユーザは、マルチプルの伝送バーストおよび受信バーストを供給される。
【０００６】
符号分割ベースの技術は、典型的に、範囲におけるいずれの時間において、利用可能な多数の周波数にわたってデータを送信する。一般に、データはデジタル化され、利用可能な帯域幅にわたって拡散されており、ここにおいて、複数のユーザは、チャネル上でオーバーレイ(overlaid)されることができ、また、それぞれのユーザは、固有のシーケンスコードを割り当てられることができる。ユーザは、スペクトルの同じ広域チャンク(the same wide-band chunk of spectrum)において送信することができ、ここにおいて、各ユーザの信号は、その個別の独自の拡散コード(its respective unique spreading code)によって全体の帯域幅にわたって拡散される。この技術は、共有するために提供することができ、ここにおいて、１人以上のユーザは、同時に送信し、受信することができる。そのような共有は、拡散スペクトルデジタル変調(spread spectrum digital modulation)を通じて達成されることができ、ここにおいて、ユーザのビットのストリーム(a user's stream of bits)は、擬似ランダムのスタイル(pseudo-random fashion)で、非常に広範なチャネルにわたって、符号化され、拡散される。受信機は、一貫した方法で特定のユーザについてのビットを集めるために、関連づけられた固有のシーケンスコードを認識し、ランダム化を元に戻す(undo the randomization)ように設計されている。
【０００７】
より具体的には、周波数分割ベースの技術は、帯域幅の一様なチャンク(uniform chunks)へとスペクトルを分割することによって、スペクトルを他とまったく別なチャネル(distinct channels)に典型的に分ける、例えば、無線セル電話通信のために割り付けられた周波数帯域の分割は、３０個のチャネルに分割されることができ、チャネルのそれぞれは、音声会話(voice conversation)を搬送することができ、あるいは、デジタルサービスを用いて、デジタルデータを搬送することができる。各チャネルは、一度にたった１人のユーザにだけ割り当てられることができる。
【０００８】
１つの一般に利用される変形(variant)は、全体のシステム帯域幅をマルチプル直交サブ帯域へと効果的に区分される(partitions)、直交周波数分割の技術である。サブチャネルの間でクロストークする(cross-talk)ように周波数が選択される、直交の意味(orthogonal meaning)は、除去され(eliminated)、また、インターキャリアガード帯域は、必要とされていない。これらのサブ帯域は、また、トーン(tones)、キャリア(carriers)、サブキャリア(subcarriers)、ビン(bins)、そして周波数チャネルと呼ばれる。各サブキャリアは、低いシンボルレートのときに、従来の変調スキーム（例、直交振幅変調(quadrature amplitude modulation)）で変調される。直交周波数分割は、厳しいチャネル条件−例えば、長い銅線における高周波数の弱化(attenuation)、狭帯域の干渉、マルチパスによる周波数選択的フェージング(frequency-selective fading)−を対処する有効な能力を、複雑な等化フィルタ(complex equalization filters)なしに、有している。低いシンボルレートは、入手可能なシンボル間のガードインターバルを利用しており、時間拡散を扱い、シンボル間干渉(inter-symbol interference)（ＩＳＩ）を除去することを可能にする。
【０００９】
直交性は、また、ナイキストレート(Nyquist rate)の近くで、高スペクトラル効率(high spectral efficiency)を可能にする。ほとんど全体の利用可能な周波数帯が使用されることができる。ＯＦＤＭは、一般に、ほぼ「白い」スペクトルを有しており、他の共通チャネルユーザについては、良性の電磁気の干渉プロパティ(benign electromagnetic interference properties)を与え、また、単一のセルが単独だと考えられるときには、より高い伝送パワーを可能にする。さらに、内部キャリアガード帯域(interior -carrier guard bands)なしでは、送信機と受信機の両方の設計は、大いに簡略化されており、従来のＦＤＭとは異なり、各サブチャネルの個別のフィルタは、必要とされていない。
【００１０】
直交性は、しばしば、周波数繰り返し(frequency reuse)と組み合わせられており、遠く離れて配置されたセルで行われる通信は、スペクトルの同じ部分を使用してもよく、また、理想的には、大きな距離(large distance)は、干渉を防ぐ。セルの近くで行なっているセル通信は、干渉の機会を最小化するために、異なるチャネルを使用する。多数のパターンのセルにわたって、周波数スペクトルは、全体のパターンにわたって共通チャネルを分散することによって可能な限り繰り返される(reused)ので、離れたセルのみ(only far apart cells)が同じスペクトルを繰り返す。そのようなケースにおいて、また、異なるユーザに対して帯域幅を割り付けるスケジューラフレキシビリティ(scheduler flexibility)が導入されるとき、セル間干渉制御は、決定的(critical)となる。サブ帯域スケジューリングおよびダイバーシチ技術(diversity techniques)は、したがって、改善させられることができる。さらに、異なるサブ帯域は異なる周波数繰り返し要因(frequency reuse factors)を有してもよいので、部分周波数繰り返し(fractional frequency reuse)（ＦＦＲ）は、セルカバレッジ及びセルエッジユーザパフォーマンスを改善するために採用されることができる。
【００１１】
ここに開示される一態様は、ＦＤＭＡシステムにおいて、割り当てられた帯域幅はサブ帯域に分割されてもよいということと、そして、サブ帯域ごとのフレキシブル及び可変のスレッシュホールド設定の使用に関わらず、無線通信システムにおけるリソースの効率的な管理が、完了されるということと、である。
【００１２】
従来の考えにおいて、単一の制御レベルは、帯域に割り当てられる。この１つの制御レベルは、セルにおいて存在することができる様々な条件に、あまり(well)役に立たず、また、すべてのユーザ機器（ＵＥ）が基地局と通信することができるように典型的な最低共通制限要因(a typical lowest common limiting factor)において設定されることができる。使用のレベルによる、信号のタイプによる、時間制約(time constraints)による、与えられたセルにおけるＵＥのロケーション、タイプ、及び数による、そして、マルチセルネットワークにおける他のセルに対する近接性による、変動性(variability)は、リソースの効率的な使用について、増大された必要性にすべて寄与することができる。
【００１３】
アップリンク通信については、逆リンクロードを制御することは望ましい。従来、単一の制御は、時間周波数帯域のために典型的に使用されており、しかしながら、そうすることは、比較的柔軟性のないフレームワーク(relatively inflexible framework)を結果としてもたらす。通信帯域をいくつかのサブ帯域に分けることによって、増大されたフレキシビリティは従来のスキームに関して達成される−このことは、サブ帯域ごとの別個の制御(distinct control per sub-band)を可能にすることと同様、個別のサブ帯域よりも異なる制御スレッシュホールドを有することによって、増大された制御粒度(increased control granularity)に関して供給する(affords)。制御における増大(increase in control)は、異なる目的のために、また、従来のスキームと比較して逆アップリンクリソースのより効率的な使用のために、サブ帯域を使用するために供給する。
【００１４】
より具体的には、直交システムにおける干渉管理は、近隣セルによって引き起こされる、識別することと、緩和することによって、容易にされる。通信の帯域幅は、マルチプルサブ帯域に分割され、ロードインジケータ（単数または複数）はサブ帯域ごとに供給される。前に注目されるように、それをすることは、セル間干渉を緩和し、制御粒(control granularity)を改善し、そして、システムリソースの全体の利用を容易にする。サブ帯域情報ごとのロード(load)は、バイナリロードインジケータとして供給されており、また、サービングセルと、近隣セルに対するブロードキャストと、のために供給される。ユーザ機器（ＵＥ）は、サブ帯域ごとのベースで、サービングセルと非サービング近隣セルのロードインジケータデータの両方に対してアクセスを有しており、帯域幅のより完全な使用を可能にする粒度のレベルを供給しており、より多くのＵＥ(more UE’s)は、与えられた帯域幅内のロードにおいて動作する(operate)ことができる。
【００１５】
セル電話の使用、及び送られたデータの量が拡大し続けるにつれ、帯域幅リソースの効率的な使用、特に制御及びデータトラフィック管理についてのアップリンクロードオペレーティングレベルの要件(the uplink load operating level requirements)は、無線通信に関連する考慮を必要とする問題(issue)であるということは、前述の議論から理解されることができる。
【発明の概要】
【００１６】
以下は、開示された実施形態のいくつかの態様の基本的な理解を提供するために、簡略化された概要(summary)を示している。この概要は、広範囲な全体像ではなく、重要なあるいは決定的な要素を識別することも、あるいは、そのような実施形態の範囲を詳細に描写することも、意図されていない。その目的は、後で示される、より詳細な説明の前置きとして、簡略化された形で、説明された実施形態のいくつかの概念を示すことである。
【００１７】
市場動向(market forces)は、システムの性能の最適化を目指して、産業を、単純な通信プロトコルの方へと移してきた。ここに説明され、特許請求される(claimed)態様は、マルチプルサブ帯域への帯域幅の区分(partition)を介してプロセッシングオーバーヘッド(processing overhead)を増大させることによって、従来の知恵(conventional wisdom)及び市場動向に対抗する(run counter)。サブ帯域は、サブ帯域の全域で(across)一定であるセルメトリックオペレーションレベルに関連づけられるようには、さらに制約されない。一般的に、このことは次のように表わされることができる：
【数１】
0005559285.tif 000002
【００１８】
マルチプルサブ帯域の使用、及びそれらの制御は、データのトラッキング、及び最適化のための、予期されるプロセッシングロード(a perceived processing load)を負う(incurs)。しかしながら、そのような予期されるプロセッシングロードに耐える結果として、全体のシステムの性能の最適化は、サブ帯域のより多くの粒度制御とシステムリソースの増大された利用とによって供給されるフレキシビリティの結果として容易にされる。
【００１９】
例えば、単一の制御を備えた従来のシステムにおいては、与えられたセル内の各ユーザは、近隣セルに対する干渉を結果としてもたらすことができるパワーを増大させることができる。これに応じて、近隣セルのＵＥは、代わりに他のセルにおける干渉をもたらすであろう干渉を克服するために、それらのパワーを増大させることによって、多分、応答するであろう。したがって、パワーブースティングコンパウンド干渉(power boosting compounds interference)に対して、そのような収束(convergence)が、作られる。
【００２０】
別の例として、アップリンクロードは、制御トラフィックが基地局によって信頼して受信されることができるように、制御されたオーバーシュートの割合については、あるレベルにおいて維持される。同じレベルは、全体の利用可能な帯域の全域で(across)維持される。アップリンクロードメトリックは、例えば、干渉／サーマル（ＩｏＴ）あるいは、上昇／サーマル（ＲｏＴ）の形式であってもよい。ＩｏＴオペレーティングレベル(operating level)は、一般的には、セル端ユーザから制御トラフィックによって制限されている。制御トラフィックは、しばしば、チャネル独立のレート(channel-independent rates)で送信される。Ｈ−ＡＲＱのような高度なメカニズムは、トラフィックも制御することが適用できないかもしれない。他方では、セル端ユーザは、一般に厳しいチャネル欠陥(channel impairments)を経験し、恐らくパワー制限となる可能性がより高い。これらの要因は、頻繁の低ＩｏＴオペレーションポイント(an often low IoT operation point)、例えば５ｄＢあたり、に寄与する。しかしながら、よいチャネル条件を備えたユーザは、パワー制限される可能性が低く、また、より高いＩｏＴポイントをサポートすることが可能となる。非フレキシブルな及び低いオペレーションレベルは、したがって、データのトラフィックについてのアップリンクロード管理を不必要に非効率にする。
【００２１】
開示されたリソース管理の一実施形態は、全体の利用可能な帯域全体の同じオペレーションレベルの代わりに、異なるサブ帯域におけるフレキシブルなアップリンクロードオペレーティングレベルを可能にする。サブ帯域依存のアップリンクロードの改善された管理で、制御情報は、セル端ユーザにとってさえ、基地局によって信頼されて(reliably)受信されることができるが、データのトラフィックは、より高い及びフレキシブルなアップリンクロードレベルを有することができる(can enjoy)。引き続いて、ユーザスループット及びセクタスループットにつき大部分(示されていない)は、達成されることができる。フレキシブルで効率的なアップリンク管理のメカニズムは、異なる制御及びデータトラフィックの特性、ユーザの中のチャネル条件ダイナミック(channel condition dynamics)、サブ帯域のオペレーション、及び異なる周波数繰り返し、を活用することができる。
【００２２】
我々は、異なるサブ帯域については、異なる及びフレキシブルな制御オペレーションレベルを可能にする。非制限な例としてＩｏＴをみなし、Ｎ個のサブ帯域があって、サブ帯域ｎ＝１、…、ＮとするターゲットオペレーションレベルをＩｏＴｔｈ（ｎ）としてターゲットオペレーションレベルを示すならば、従来のアップリンクロード管理にあるＩｏＴｔｈ（１）＝ＩｏＴｔｈ（２）＝…＝ＩｏＴｔｈ（Ｎ）を選択する代わりに、次の式を有することを提案する。
【数２】
0005559285.tif 000003
【００２３】
提案が無線にわたってロード制御情報伝播(load control information propagation)に単に限定されていないということは、理解されるべきである。代わりに、アイデアは、他のリソース管理（例えばアドミッション制御、混雑制御）にも適用可能である。便宜上、アイデアは、ロード制御情報に関して、詳細に議論される。サブ帯域依存ロード制御の構成、サブ帯域依存のロード制御情報の生成及び伝播、そして、端末におけるロード制御情報の処理が、詳細に議論されている。
【００２４】
一態様において、セルリソース管理を容易にする方法は、異なるサブ帯域グループについての異なる及びフレキシブルなセルメトリックオペレーションのレベルを可能にすることを備えている。サブ帯域は、Ｎ個のサブ帯域に帯域幅を分割することを構成しており、ここにおいて、Ｎは、１よりも大きい、あるいは１と等しい整数である。サブ帯域グループは、Ｍ数のサブ帯域(M number of sub-bands)と等しく、ここにおいて、Ｍは、１からＮの整数である。サブ帯域グループは、同じあるいは同様のオペレーショナル特性(operational characteristics)を備えたサブ帯域から成っている。方法は、制御のためにエアインタフェースにわたって割り付けられたビットの機能として制御コマンドの伝送を変更することと(varying)、あるいは、同時に無線にわたって１つのサブ帯域グループ制御と、徐々に全体のサブ帯域グループを通じたサイクルと、を送信することと(transmitting one sub-band group control over air at a time and cycle through the entire sub-band groups over time)、をさらに備えている。この方法においては、制御コマンドは、本質的に可変(variable in nature)であり、セルにおけるＵＥのインデックス、セルのサブ帯域のインデックスに、存在する場合には、部分周波数繰り返し要因のインデックスに、したがって(according to indices of UE’s in the cell, sub-bands in the cell; and fractional frequency reuse factor, if present)変化する。
【００２５】
上記の方法の特定の態様においては、セルメトリックオペレーションは、アップリンクロード制御オペレーションである。アップリンクロードメトリックは、ＩｏＴまたはＲｏＴのうちの１つであってもよい。方法は、ロード制御のためにエアインタフェースにわたって割り付けられたビットの機能としてロード制御コマンドの伝送を変更することと、あるいは、同時に無線にわたって１つのサブ帯域グループのロード制御と、徐々に全体のサブ帯域グループを通じたサイクルと、を送信することと、を備えている。この方法においては、ロード制御コマンドは、本質的に可変であり、セルにおけるＵＥのインデックス、セルのサブ帯域のインデックス、存在する場合には、部分周波数繰り返し要因に、したがって変化する。
【００２６】
上記の方法の他の特定の態様において、セルメトリックオペレーションは、アドミッション制御、混雑制御、及びシグナルハンドオフ制御のうちの少なくとも1つである。
【００２７】
さらなる態様においては、ユーザ機器が異なるサブ帯域のグループのコマンドについて異なって反応する(reacts)ように、異なり及びフレキシブルサブ帯域のコマンドに応答する方法がある。その反応(reaction)は、保守的なレスポンス(conservative response)、積極的なレスポンス(aggressive response)、比例レスポンス(proportional response)、あるいは時間比例レスポンス(time proportional response)のうちの少なくとも１つであってもよい。
【００２８】
一態様において、セルリソース管理を容易にするためのコンピュータ実行可能なコードをコンピュータ可読メディア上で保存した、コンピュータ可読メディアは、異なるサブ帯域グループについて異なる及びフレキシブルセルメトリックオペレーションレベルを可能にすることを備えている。サブ帯域は、Ｎ個のサブ帯域に帯域幅を分割することを構成しており、ここにおいて、Ｎは、１よりも大きい、あるいは１と等しい整数である。サブ帯域グループは、Ｍ数のサブ帯域に等しく、ここにおいて、Ｍは、１からＮの整数である。サブ帯域グループは、同じあるいは同様のオペレーショナル特性を備えたサブ帯域から成る。コンピュータ可読メディアは、実行されたときに、制御のためにエアインタフェースにわたって割り付けられたビットの機能として制御コマンドの伝送を変更することと、あるいは、同時に無線にわたって１つのサブ帯域グループ制御と、徐々に全体のサブ帯域グループを通じたサイクルと、を送信することと、をもたらすコードをさらに備えている。このコンピュータ可読メディアにおいては、コードは、制御コマンドが実質的に可変であることと、セルにおけるＵＥのインデックス、セルのサブ帯域のインデックスに、また、存在する場合には、部分周波数繰り返し要因のインデックスに、したがって変化することと、を可能にする。
【００２９】
上記のコンピュータ可読メディアの特別な態様においては、セルメトリックオペレーションは、アップリンクロードの制御オペレーションである。アップリンクロードメトリックは、ＩｏＴあるいはＲｏＴのうちの１つであってもよい。実行されるときに、コードは、ロード制御のためにエアインタフェースにわたって割り付けられたビットの機能としてロード制御コマンドの伝送を変更することと、あるいは、同時に無線にわたって１つのサブ帯域グループのロード制御と、徐々に全体のサブ帯域グループを通じたサイクルと、を送信することと、をもたらす。このコンピュータ可読メディアにおいては、コードは、実行されるときには、制御コマンドが実質的には可変であることと、そして、セルにおけるＵＥのインデックス、セルのサブ帯域のインデックスに、また、存在する場合には、部分周波数繰り返し要因のインデックスに、したがって変化することと、を可能にする。
【００３０】
上記のコンピュータ可読メディアの他の特定の態様においては、セルメトリックオペレーションは、アドミッション制御、混雑制御、及びシグナルハンドオフ制御のうちの少なくとも１つである。
【００３１】
さらなる態様においては、ユーザ機器が異なるサブ帯域のグループのコマンドについて異なって反応するように、異なる及びフレキシブルサブ帯域のコマンドに応答するためのコンピュータ実行可能コードをコンピュータ可読媒体上で保存したコンピュータ可読媒体がある。その反応は、保守的なレスポンス、積極的なレスポンス、比例レスポンスあるいは時間比例レスポンスのうちの少なくとも１つであってもよい。
【００３２】
一態様において、装置は、異なるサブ帯域グループについての異なる及びフレキシブルセルメトリックオペレーションレベルを可能にすることを備えている、記憶媒体上でセルリソース管理を容易にするためのコンピュータ実行可能なコードを保存する記憶媒体と、保存されたコードを実行するプロセッサと、を備えている。サブ帯域は、Ｎ個のサブ帯域に帯域幅を分割することを構成しており、ここにおいて、Ｎは、１よりも大きい、あるいは１と等しい整数である。サブ帯域のグループは、Ｍ数のサブ帯域に等しく、ここにおいて、Ｍは、１からＮの整数である。サブ帯域のグループは、同じあるいは同様のオペレーショナル特性を備えたサブ帯域から成る。装置記憶媒体は、実行するときに、制御のためにエアインタフェースにわたって割り付けられたビットの機能としてロード制御コマンドの伝送を変更することと、あるいは、同時に無線にわたって１つのサブ帯域グループの制御と、徐々に全体のサブ帯域グループを通じたサイクルと、を送信することと、をもたらすコードをさらに保存する。この装置記憶媒体においては、コードは、制御コマンドが実質的に可変であることと、そして、セルにおけるＵＥのインデックス、セルのサブ帯域のインデックスに、また、存在する場合には、部分周波数繰り返し要因のインデックスに、したがって変化することと、を可能にする。
【００３３】
上記の装置の特定の態様においては、セルメトリックオペレーションは、アップリンクロード制御オペレーションである。アップリンクロードメトリックは、ＩｏＴあるいはＲｏＴのうちの１つであってもよい。コードは、実行されるときに、ロード制御のためにエアインタフェースにわたって割り付けられたビットの機能としてロード制御コマンドの伝送を変更することと、あるいは、同時に無線にわたって１つのサブ帯域グループのロード制御と、徐々に全体のサブ帯域グループを通じたサイクルと、を送信することと、をもたらす。この装置記憶媒体においては、コードは、実行されるときに、ロード制御コマンドが実質的に可変であることと、そして、セルにおけるＵＥのインデックス、セルのサブ帯域のインデックスに、また、存在する場合には、部分周波数繰り返し要因のインデックスに、したがって変化することと、を可能にする。
【００３４】
上記装置の他の特定態様においては、セルメトリックオペレーションは、アドミッション制御、混雑制御、およびシグナルハンドオフ制御、のうちの少なくとも１つである。
【００３５】
さらなる態様においては、ユーザ機器が異なるサブ帯域グループのコマンドについて異なって反応するように、異なる及びフレキシブルなサブ帯域コマンドに応答するためのコンピュータ実施可能コードを、記憶媒体上で保存する記憶媒体を備えている装置である。その反応は、保守的なレスポンス、積極的なレスポンス、比例レスポンスあるいは時間比例レスポンスのうちの少なくとも１つであってもよい。装置はまた、保存されたコードを実行するプロセッサも含んでいる。
【００３６】
また別の態様においては、セルリソース管理を容易にするためのシステムは、異なるサブ帯域のグループについて異なる及びフレキシブルなセルメトリックオペレーションレベルを可能にするための手段を構成している。サブ帯域のグループは、同じあるいは同様のオペレーショナル特性を備えたサブ帯域から成る。システムは、制御のためにエアインタフェースにわたって割り付けられたビットの機能として制御コマンドの伝送を変更するための、あるいは、同時に無線にわたって１つのサブ帯域グループ制御と、徐々に全体のサブ帯域グループを通じたサイクルと、を送信するための手段、をさらに備えている。システムは、制御コマンドが実質的に可変であることと、セルにおけるＵＥのインデックス、セルのサブ帯域のインデックスに、存在する場合には部分周波数繰り返しのインデックスに、したがって変化することを可能にするための手段、をさらに備えている。
【００３７】
上記システムの特定の態様において、セルメトリックオペレーションのための手段は、アップリンクロード制御オペレーションとなるようにする。アップリンクロードメトリックは、ＩｏＴまたはＲｏＴのうちの１つであってもよい。システムは、ロード制御のためにエアインタフェースにわたって割り付けられたビットの機能としてロード制御コマンドの伝送を変更するための、あるいは、同時に無線にわたって１つのサブ帯域グループのロード制御と、徐々に全体のサブ帯域グループを通じたサイクルと、を送信するための、手段を備えている。システムは、ロード制御コマンドが実質的に可変であることと、セルにおけるＵＥのインデックス、セルのサブ帯域のインデックスに、存在する場合には部分周波数繰り返しのインデックスに、したがって変化することと、をもたらすための手段、を備えている。
【００３８】
上記システムの他の特定の態様においては、セルメトリックオペレーションのための手段は、アドミッション制御、混雑制御、及びシグナルハンドオフ制御のうちの少なくとも１つであるべきである。
【００３９】
さらなる態様においては、異なる及びフレキシブルなサブ帯域のコマンドに応答するためのシステムは、ユーザ機器が異なるサブ帯域グループのコマンドについて異なるように反応するための手段を備えている。反応についての手段は、保守的なレスポンス、積極的なレスポンス、比例レスポンス、あるいは、時間比例レスポンス、のうちの少なくとも１つであってもよい。
【００４０】
一態様においては、セル間干渉を緩和する方法は、通信帯域幅をマルチプルサブ帯域に分割し、サブ帯域ごとのロードインジケータ(a load indicator per sub-band)を供給することによって、粒度(granularity)と、増大される効率性(increased efficiency)を得る。サブ帯域情報ごとのロードは、バイナリロードインジケータデータとして供給されており、また、サービングセルと、近隣セルに対するブロードキャストとの両方(both a serving cell and broadcast to neighboring cells)について供給されている。ユーザ機器（ＵＥ）は、サブ帯域ベースで、サービングセル及び非サービング近隣セルのロードインジケータデータの両方に対してアクセスを有しており、帯域幅のより完全な使用を可能にする粒度のレベルについて供給しており、より多くのＵＥは、与えられた帯域幅内のロードにおいて動作することができる。
【００４１】
別の態様においては、ＵＥベースのロード管理を通じてセル間干渉を制御し、減らす方法が開示されている。方法は、同期あるいは非同期のいずれかで動作するマルチプルセルを頑健に(robustly)扱っており、また、セル間干渉の減少を最適化することにおける要因となるように個別のＵＥ機能(individual UE capability)を可能にする。ＵＥが開始されるとき、サービングセルオペレーションのタイプを示して（例、同期あるいは非同期）、サービングセルアクセスノードからメッセージを典型的に受信する。オペレーションのタイプは、セル間干渉を減らすことにおいて１つの方法あるいは別の方法にＵＥを従わせることができる。現在の方法は、オペレーションのサービングセルのモードに依存する可能性のない、セル間干渉縮小のベストな方法をＵＥが見つけ出すことを可能にする。１つの非制限な例においては、ＵＥは、非同期セルにおいて動作していてもよいが、近隣セルのロードデータに直接にアクセスする機能を有している。このケースにおいては、サービングセルのバックホールチャネルを通じて到達することができるサブ帯域情報ごとの近隣セルバイナリロードを待機することよりもむしろ、サブ帯域ごとのより早い直接的な近隣セルのバイナリロードに依存して、その伝送パワースペクトル密度を減らすためにあるいは維持するためにＵＥは動作することができる。
【００４２】
一態様においては、セル間干渉の緩和を容易にする方法は、セル帯域幅をＮ個のサブ帯域に分割することと、ここにおいて、Ｎは、整数＞２である；個々のユーザ機器（ＵＥｓ）に対して個々のサブ帯域を割り当てることと；サブ帯域の割り当てをトラッキングすることと；近隣セルに対して、サブ帯域の割り当てをブロードキャストすることと；を備えている。
【００４３】
別の態様においては、コンピュータ可読記憶媒体は、コンピュータ可読記憶媒体上で、セル帯域幅をＮ個のサブ帯域に分割することと、ここにおいて、Ｎは、整数＞２である；個々のユーザ機器（ＵＥｓ）に対して個々のサブ帯域を割り当てることと；サブ帯域の割り当てをトラッキングすることと；近隣セルに対して、サブ帯域の割り当てをブロードキャストすることと；を備えている動作(acts)を実行するためのコンピュータ可読インストラクションを保存している。
【００４４】
また、別の態様において、装置は、記憶媒体を備えており、記憶媒体は、次の動作である、セル帯域幅をＮ個のサブ帯域に分割することと、ここにおいて、Ｎは、整数＞２である；個々のユーザ機器（ＵＥｓ）に対して個々のサブ帯域を割り当てることと；サブ帯域の割り当てをトラッキングすることと；近隣セルに対して、サブ帯域の割り当てをブロードキャストすることと；を実行するための、記憶媒体上で保存されたコンピュータ実行可能インストラクションを備えている。プロセッサは、コンピュータ実行可能インストラクションを実施する。
【００４５】
一態様においては、セル間干渉の緩和を容易にするシステムは、セル帯域幅をＮ個のサブ帯域に分割するための手段と、ここにおいて、Ｎは、整数＞２である；個々のユーザ機器（ＵＥｓ）に対して個々のサブ帯域を割り当てるための手段と；サブ帯域の割り当てをトラッキングするための手段と；近隣セルに対して、サブ帯域の割り当てをブロードキャストするための手段と；を備えている。
【００４６】
別の態様においては、セル間干渉の緩和を容易にする方法は、割り当てられたサブ帯域を受信することと、ユーザ機器（ＵＥ）の機能を識別することと、もしＵＥが機能スレッシュホールドを満たす場合には、サブ帯域ロードインジケータのデータを衝突させることについて近隣セルを見ることと、衝突(conflict)が存在する場合にはＵＥパワーを減らし、衝突が存在しない場合には、ＵＥパワーを維持することと、を備えている。
【００４７】
さらに別の態様においては、コンピュータ可読記憶媒体は、割り当てられたサブ帯域を受信することと、ユーザ機器（ＵＥ）の機能を識別することと、もしＵＥが機能スレッシュホールドを満たす場合には、サブ帯域ロードインジケータのデータを衝突させることについて近隣セルを見ることと、衝突が存在する場合にはＵＥパワーを減らし、衝突が存在しない場合には、ＵＥパワーを維持することと、を備える動作を実行するためのコンピュータ可読インストラクションをコンピュータ可読ストレージ上で保存している。
【００４８】
さらに別の態様において、装置は、記憶媒体を備えており、記憶媒体上で保存された、次の動作である、割り当てられたサブ帯域を受信することと、ユーザ機器（ＵＥ）の機能を識別することと、もしＵＥが機能スレッシュホールドを満たす場合には、サブ帯域ロードインジケータのデータを衝突させることについて近隣セルを見ることと、衝突が存在する場合にはＵＥパワーを減らし、衝突が存在しない場合には、ＵＥパワーを維持することと、を実行するためのコンピュータ実行可能インストラクションを備えている。プロセッサは、コンピュータ実行可能なインストラクションを実行する。
【００４９】
前述および関連する目的の実現のために、１つまたは複数の実施形態は、この後十分に説明され、そして特許請求の範囲において特に示される、特徴を備えている。以下の説明および添付図面は、詳細に、ある説明のための態様を記述しており、そして、実施形態の原理(principles)が使用されることができる様々な方法のうちのほんの少しを示している。他の利点および新規な特徴は、図面と共に考慮されるとき、以下の詳細な説明から明らかとなるであろう、また、開示された実施形態は、すべてのそのような態様およびそれらの同等物(equivalents)を含むように意図されている。
【図面の簡単な説明】
【００５０】
【図１】図１は、ここに記載された様々な態様にしたがった無線通信システムの図示である。
【図２】図２は、ここに説明された様々な態様にしたがった可変およびフレキシブルなロード制御のオペレーショナル特性の例示的な図である。
【図３】図３が、ここに記載された様々な態様にしたがった、さらなる可変及びフレキシブルなロード制御のオペレーショナル特性の例示的な図である。
【図４】図４は、サブ帯域バイナリロードインジケータと、帯域幅バイナリロードインジケータと、の例示的な図である。
【図５】図５は、ここに記載された様々な態様にしたがった、伝送フレキシビリティの例示的な図である。
【図６Ａ】図６Ａおよび６Ｂは、ここに記載された様々な態様にしたがった、ロード制御の例示的な図示である。
【図６Ｂ】図６Ａおよび６Ｂは、ここに記載された様々な態様にしたがった、ロード制御の例示的な図示である。
【図７Ａ】図７Ａおよび７Ｂは、ここに記載された様々な態様にしたがって、ロード制御ステップサイズの修正アプローチ(load control stepsize modification approaches)を図示する。
【図７Ｂ】図７Ａおよび７Ｂは、ロード制御ステップサイズの修正アプローチを、ここに上述される様々な態様にしたがって図示する。
【図８】図８は、本願が制御するセル間干渉の例示的な態様の図である。
【図９】図９は、様々な態様にしたがってインプリメントされた、例示的な通信システム（例、セルラ通信ネットワーク）の図である。
【図１０】図１０は、様々な態様に関連づけられた例示的なエンドノード（例えば、モバイルノード）の図である。
【図１１】図１１は、ここに記述された様々な態様にしたがってインプリメントされた例示的なアクセスノードの図である。
【図１２】図１２は、様々な態様にしたがって異なるサブ帯域についての可変及びフレキシブルなシステムのオペレーショナル特性をインプリメントするための例示的な高レベルの論理フロー図である。
【図１３】図１３は、様々な態様にしたがって異なるサブ帯域についての可変及びフレキシブルなシステムのオペレーショナル特性を処理するための例示的な高レベル論理フロー図である。
【図１４】図１４は、様々な態様にしたがった、例示的な中間レベルの論理フロー図である。
【図１５】図１５は、様々な態様にしたがった、可変およびフレキシブルなロード制御コマンドを処理するための例示的な高レベルの論理フロー図である。
【図１６】図１６は、様々な態様にしたがった、例示的な中間レベルの論理フロー図である。
【図１７】図１７は、セル間干渉の緩和に関する態様を図示しているフロー図である。
【図１８】図１８は、セル間干渉を緩和することに関する一態様を図示しているフロー図である。
【図１９】図１９は、様々な態様にしたがった同期及び非同期の直交システムにおいて、ＵＥベースのセル間干渉緩和についての例示的な論理フロー図である。
【図２０】図２０は、同期直交システムにおけるＵＥベースのセル間干渉緩和のための例示的な論理フロー図である。
【図２１】図２１は、非同期直交システムにおけるＵＥベースのセル間干渉緩和のための例示的な論理フロー図である。
【図２２】図２２は、セルリソース管理を容易にするシステムを図示し、セル間干渉を緩和するシステム図である。
【詳細な説明】
【００５１】
特許請求された主題は、図面を参照して説明されており、全体を通して、同様の参照文字は、同様のエレメントを指すように使用される。以下の説明においては、説明の目的のために、非常に多くの具体的な詳細な説明が、１つまたは複数の態様の完全な理解(a thorough understanding)を供給するために記載されている。それは、明白かもしれないけれども、そのような実施形態（単数または複数）は、これらの具体的な詳細なしで実行されることができる。他の例において、よく知られたストラクチャおよびデバイスは、1つまたは複数の実施形態を説明することを容易にするために、ブロック図の形で示されている。本願で使用されるように、用語「コンポーネント(component)」、「モジュール(module)」、「システム(system)」、および同様なものは、コンピュータ関連のエンティティ(computer-related entity)、ハードウェアか、ファームウェアか、ハードウェアとソフトウェアの組み合わせか、ソフトウェアか、あるいは実行中のソフトウェアか、を指すように意図されている。例えば、コンポーネントは、限定されてはいないが、プロセッサ上で実行中のプロセス、プロセッサ、集積回路、オブジェクト(object)、実行ファイル(an executable)、実行スレッド(thread of execution)、プログラム、および／またはコンピュータ、であってもよい。例として、コンピューティングデバイス上で実行しているアプリケーションと該コンピューティングデバイスの両方は、コンポーネントであってもよい。１つ以上のコンポーネントは、プロセスおよび／または実行スレッド内に常駐(reside)することができ、また、コンポーネントは、１つのコンピュータ上に局在化されてもよいし、かつ／または２つ以上のコンピュータの間で分散され（distributed）てもよい。さらに、これらのコンポーネントは、コンピュータ可読媒体上に保存された様々なデータ構造を有している様々なコンピュータ可読媒体から実行することが出来る。コンポーネントは、ローカルなプロセスおよび／または遠隔のプロセスで、例えば、１つ以上のデータパケット（例、ローカルシステム、分散システムにおいて、および／または、信号経由で他のシステムを備えたインターネットのようなネットワークにわたって、別のコンポーネントと相互作用している１つのコンポーネントからのデータ）を有している信号に従って、通信することが出来る。
【００５２】
様々な実施形態は、いくらかのデバイス、コンポーネント、モジュール、および同様なものを含むことができるシステムの点から示されるであろう。様々なシステムが、追加のデバイス、コンポーネント、モジュール等を含んでもよい、及び／または、図に関連して説明されるデバイス、コンポーネント、モジュール等のすべてを含まなくてもよいということは理解され、認識されるべきである。これらのアプローチの組み合わせもまた使用されることができる。
【００５３】
用語「例示的な(exemplary)」は、「例(example)、インスタンス(instance)、又は例証(illustration)として機能している」を意味するように、ここでは使用されている。「例示的な(exemplary)」としてここに説明される、いずれの実施形態あるいは設計(design)は、他の実施形態あるいは設計よりも、好ましいまたは有利であるとして、必ずしも解釈されるべきではない。用語「リスニング(listening)」は、レシピエントデバイス（アクセスポイントあるいはアクセス端末）がデータを受信し、与えられたチャネル上で受信されたデータを処理することを意味するようにここでは使用される。
【００５４】
様々な態様は、通信リソースを遷移することに関連して、推定のスキーム及び／または技術(inference schemes and/or techniques)を組み込むことができる。ここに使用されているように、用語「推定(inference)」は、イベント及び／またはデータを介してキャプチャされるものとして１セットのオブザベーションから、システム、環境、及び／またはユーザ、の状態(states)を理由付けする、あるいは、推定する、プロセスを一般に指す。推定は、特定のコンテキストあるいはアクションを識別するために利用されることができ、または、例えば状態に関する確率分布を生成することができる。推定は、見込みに基づいて(probabilistic)いてもよく、すなわち、関心の状態に関する確率分布の計算は、データ及びイベントの考慮あるいは決定理論的(decision theoretic)に基づいており、ユーザの目標及び意図において不確実なコンテキストにおいて、見込みに基づく推定の際に作り、そして最も高く期待される効用のディスプレイのアクション(display action)を考慮する。推定は、また、１セットのイベントおよび／またはデータからの高レベルイベントを構成するために、利用される技術を指すことができる。そのような推定は、イベントが時間的近接性(close temporal proximity)に相関されようがなかろうと、またイベント及びデータが１つまたはいくつかのイベント及びデータソースによってもたらされようが(come from)、１セットのオブザーブされたイベントおよび／または保存されたイベントのデータから、新しいイベントあるいはアクションの構成(construction)を結果としてもたらす。
【００５５】
さらに、様々な態様は、加入者局に関連してここにおいて説明される。加入者局は、また、システム、加入者ユニット、モバイル局、モバイル、遠隔局、アクセスポイント、遠隔端末、アクセス端末、ユーザ端末、ユーザエージェント、ユーザデバイス、モバイルデバイス、ポータブル通信デバイス、あるいはユーザ機器と呼ばれることができる。加入者局は、セルラ電話(cellular telephone)、コードレス電話、セッション開始プロトコル(Session Initiation Protocol)（ＳＩＰ）電話、ワイヤレスローカルループ(wireless local loop)（ＷＬＬ）局、携帯情報端末(personal digital assistant)（ＰＤＡ）、ワイヤレス接続機能を有するハンドヘルドデバイス(handheld device)、またはワイヤレスモデムに接続された他の処理デバイス、であってもよい。
【００５６】
さらに、ここに説明される様々な態様あるいは特徴は、標準プログラミング及び／または工学技術を使用して、方法、装置、あるいは製造品としてインプリメントされることができる。ここに使用されている、用語「製造品(article of manufacture)」は、いずれのコンピュータ可読デバイス、キャリア、あるいはメディアからアクセス可能なコンピュータプログラムを含むように意図されている。例えば、コンピュータ可読メディアは、限定されないが、磁気保存デバイス（例、ハードディスク、フロッピー（登録商標）ディスク、磁気ストリップ(magnetic strips）…）、光学ディスク（例、コンパクトディスク（ＣＤ）、デジタル汎用ディスク（ＤＶＤ）…）、スマートカード、及びフラッシュメモリデバイス（例、カード、スティック、キードライブ…）を含むことができる。さらに、ここに説明される様々な記憶媒体は、情報を保存するための、１つまたは複数のデバイス(one or more devices)、及び／または他のマシン可読媒体を表わすことができる。用語「マシン可読媒体(machine-readable medium)」は、限定されることなく、無線チャネルと、インストラクション（単数または複数）および／またはデータを保存し、含み、および／または搬送することができる、様々な他のメディアと、を含むことができる。
【００５７】
図１は、分割される帯域幅方法１００に関連づけられているセルメトリックのいくつかの例示的な例を表す。システム性能の最適化を目指して、市場動向は、産業を、単純な通信プロトコルの方へと移してきた。ここに説明され、特許請求される態様は、マルチプルサブ帯域への帯域幅の区分を介してオーバーヘッドを処理することを増大させることによって、従来の知恵と市場動向に対抗する。サブ帯域は、サブ帯域の全域で、コンスタントであるセルメトリックオペレーションレベルに関連づけられるようには、さらに制約されていない。一般に、これは以下のように表わされることができる：
【数３】
0005559285.tif 000004
【００５８】
マルチプルサブ帯域の使用及びそれらの制御は、データのトラッキング、及び最適化のための、予期されるプロセッシングロードを負う。しかしながら、そのような予期されるプロセッシングロードに耐える結果として、全体のシステムの性能の最適化は、サブ帯域のより多くの粒度制御とシステムリソースの増大された利用とによって供給されるフレキシビリティの結果として容易にされる。例えば、単一の制御を備えた従来システムにおいて、与えられたセル内の各ユーザは、近隣セルに干渉を結果としてもたらすことができるパワーを増大させることができる。これに応じて、近隣セルのＵＥは、代わりに他のセルにおける干渉をもたらすであろう干渉を克服するために、それらのパワーを増大させることによって、多分、応答するであろう。したがって、パワーブースティングコンパウンド干渉に対して、そのような収束が、作られる。
【００５９】
一態様においては、テレコミュニケーションシステムのアクセスノード（例、セル、基地局）は、与えられた帯域幅１０１を通じて、エンドノード（例、ユーザ機器（ＵＥ））を含んでいる他のノードと通信する。帯域幅は、いくつかのサブ帯域Ｎに分けられており、ここにおいて、Ｎは、整数１０２である。サブ帯域は、同様のサブ帯域特性のグループに、論理的に参照されることができる。異なる特性１０３の数は、制約されていない。セルオペレーションメトリックの生成は、サブ帯域ごとのグループベースで実行されることができる。各サブ帯域のグループについては、基地局におけるオペレーショナルメトリック(operational metric)は、与えられたグループの全体のセットのサブ帯域にわたって平均化されており、また、システムコマンドを生成するためにグループ特定ターゲット特性と比較される。例示的な例１０４は、３つのサブ帯域のグループを描いており、それぞれサイズ２で描かれている。この例において、サブ帯域のそれぞれは、同じサイズであり、また、帯域幅の順においてそれぞれとなり同士に(next to each other)配置されている。フレキシビリティの一態様は１０５で描かれており、ここにおいて、いずれの特定のグループに属しているサブ帯域の数は、ｎ個のサブ帯域の一定の大きさに作られる(sized)ことができ、ｎ＝１からｎ＝Ｎ個のサブ帯域までであり、なお、Ｎ＝利用可能なサブ帯域のトータル数である。サブ帯域のグループ１は、３つのサブ帯域を含んでおり、サブ帯域グループ２は、単一のサブ帯域を含んでおり、サブ帯域グループＮは、残りのサブ帯域を含んでいる。追加のフレキシビリティは、同様の特性の要件が、連続するサブ帯域(contiguous sub-bands)に適用される必要がないという点において、１０６において見られることができる。サブ帯域グループ１は、サブ帯域１及び５を含んでいるが、サブ帯域２は、サブ帯域２及び４を含んでいる。
【００６０】
図２を参照すると、可変及びフレキシブルなセルメトリックオペレーショナル特性の一態様が開示されている。セルラネットワークにおいてＵＥのパワーロード条件(power load conditions of UE’s)を制御することは、サービス品質のプライマリ(primary)及びきわめて重大な(vital)態様である。制限しない例において、ＩｏＴ２００を利用するパワー制御方法が議論されている。この態様においては、我々は、同様あるいは同じＩｏＴオペレーションレベルを備えた１セットのサブ帯域として、サブ帯域グループを定義するので、それらは、アップリンクロード管理の観点から同じに扱われることができる。サブ帯域２０１の数は、サブ帯域２０６ごとの制御メトリックに関係付けられている。メトリック２０２の値は、２０３、２０４、及び２０５とリストされた３つの値である。一般的な用語において、各サブ帯域は、サブ帯域ｎ＝１，…，Ｎについて、ＩｏＴｔｈ（ｎ）として表わされているターゲットＩｏＴオペレーションレベルを有しており、また、これらのターゲットレベルは、異なる及びフレキシブルであることが次のように可能にされている。
【数４】
0005559285.tif 000005
【００６１】
ノード間で交換される２つのタイプのトラフィックがあり、すなわち、制御２０３及びデータ２０４、２０５のトラフィックである。制御トラフィック伝送は、典型的には、チャネル適応ではないので、ＩｏＴオペレーティングレベルは、比較的低いレベルで維持されなくてはならない。本発明の一態様は、制御トラフィック制約されたサブ帯域２０３として、１つまたは複数のサブ帯域(one or more sub-bands)を指定することである。ＩｏＴオペレーティングレベルは、典型的に、セル端ユーザからの制御トラフィックによって制限される。セル端ユーザは、一般に、厳しいチャネル欠陥(severe channel impairments)を経験し、パワー制限となる可能性が大きい。パワー制限と同様、エラーレートは、増大し、Ｈ−ＡＲＱのような事前のエラー制御メカニズム(advanced error control mechanism)は、データ同様トラフィックを制御することに対してそれほど適用可能でないかもしれない。制御トラフィックは、しばしば、チャネル独立したレートで伝送される。これらの要因は、頻繁の低ＩｏＴオペレーションポイント、例えば約５ｄＢあたり、に寄与する。したがって、アップリンクロードメトリック（例、ＩｏＴオペレーティングレベル）は、セル端ユーザから制御トラフィックによって、典型的に制限される。
【００６２】
しかしながら、よいチャネル条件を備えたユーザは、パワー制限される可能性が低く、より高いＩｏＴポイントをサポートすることができる。セル端からの非フレキシブル及び低いＩｏＴオペレーションレベルは、したがって、データトラフィックについてのアップリンクロード管理を不必要に非効率にする。
【００６３】
非制御制約されたサブ帯域（Ｄサブ帯域と呼ばれる）は、マルチプルグループ２０４、２０５にさらに分割されることができる。一実施形態においては、Ｄサブ帯域は、２つのカテゴリに分けられており、１つは、ミディアムジオメトリ(medium geometries)を備えたユーザのために意図された真ん中の範囲(middle-range)と呼ばれており、もう一方は、サービングセクタに近く、また、ラージジオメトリ(large geometries)を備えたユーザのために意図された下の範囲(low-range)と呼ばれている。典型的には、ＩｏＴｔｈ（Ｄサブ帯域、低い範囲）＞ＩｏＴｔｈ（Ｄサブ帯域、中間範囲）＞ＩｏＴｔｈ（Ｃサブ帯域）を有している。ここで、可能にされる変動性(allowed variability)は、サービングセルのセンタにより近いＵＥ(UE’s)に割り当てられることができる低い範囲のＤサブ帯域についてのより高い制御制限を有しているオプションを表わしている。このロケーションにおいては、ＵＥ(UE’s)は、セル間干渉のような望ましくない効果なしで、より高いロードを扱うことができる可能性がより高い。
【００６４】
制御トラフィックは、信頼性のある制御情報伝送が達成されることができるように、基地局のスケジューラがユーザのチャネル条件についての情報を有している場合、制御制約されるサブ帯域グループのうちのいくつかの上にあるデータトラフィック同様、Ｄサブ帯域のいくつかの上でスケジュールされることができるということは理解されるべきである。
【００６５】
図３を参照すると、サブ帯域グループの構成は、徐々に動的に変化されることができ、また、システム条件に対して適合するということと、また、セルエリア３５０によってあるいは基地局３３０によって指定された制御サービングセルの異なるセクタ（示されていない）に関して異なっていてもよいということも理解されるべきである。時間Ｔ＝１で、セルの状態が示されている ３００。セルについての帯域幅は、サブ帯域に分割される ３１０。ＵＥは、Ａ、Ｂ、Ｃ、Ｄ、ＥおよびＦとして表示される。この態様において、セルメトリックはロード制御、ＩｏＴ、であり、そして帯域幅ごとのロード制御は、同様の特徴グループI、II、およびIIIにキャプチャされる ３２０。グループＩＩＩは、単一のＵＥ Ｆから成り、パス３８０上で３７０によって表わされているように高層ビル街を通じての移動(passage through an urban canyon)を経験している。高層ビル街を通じての移動は、高いパワーレベル及び対応するＩｏＴｔｈ（Ｆ）を必要としているということは認識されるべきである。グループＩはＵＥ Ａ、Ｂ、およびＣから成る。このグループは、サービングセル基地局３３０に近接性(close proximity)の下、動作している。前に表わされるように、この条件におけるＵＥは、隣接近隣セル(adhjacent neighbor cellls)（示されていない）におけるＵＥに対してセル間干渉を導出することなく、より高いパワーレベルを有することができる(may enjoy)。グループＩＩは、ＵＥ Ｄ及びＥから成り、セル端の近くにＵＥについての同じあるいは同様のＩｏＴレベルを共有する。典型的には、このＩｏＴレベルは、パワーにおいて低くなるであろう。
【００６６】
時間＝１＋デルタＴのとき、セル３５０の状態は、３００’に変更する。ＵＥ Ｆ’は、ＵＥ Ｃ’がＵＥ Ｃからのロケーションにおける変更を示すと同時に、高層ビル街３７０からのそのパス３９０を完了する。ＵＥ Ｃ’およびＵＥ Ｆ’の両方の変更は、セルオペレーショナル特性において変更を必然的に伴う。ＵＥＡ’およびＵＥＢ’は、移動(movement)をさらに示しているが、特性における対応する変更はなく、その一方で、ＵＥｄ”およびＵＥ Ｅ’は、表わされた特性において変化なしで静止したままである。これらの変更で、サブ帯域グループの構成(composition)は変更する。グループＩは、ＵＥ Ａ’とＵＥ Ｂ’のみから成る。これらのＵＥは、逆のシステム効果(adverse system effects)なしで、高いパワーと高いＩｏＴにおいて、まだ動作する能力を有する(enjoy)。グループＩＩは、ＵＥＣ’Ｄ’、Ｅ’、およびＦ’から成る。Ｃ’がＤ’、Ｅ’、およびＦ’と同じエリアにおいて配置付けられていないが、オペレーティング特性は同じあるいは同様であるということは注目されるべきである。グループＩＩＩは、状態３００’におけるＩｏＴの高レベルのような要求を備えたＵＥがないとき、取り除かれる。この除去は、制御サブ帯域グループがフレキシブルのままであるとき、いずれの帯域幅も無駄にしない。これらの変更で、サブ帯域３１０’は、サブ帯域グループが引き受けた(undertaken)というシステム条件に対する適応を示す。
【００６７】
図４は、現在の発明の一態様の図を供給する。描写されるように、与えられた帯域幅は、多くのサブ帯域４０１（例えば、Ｎサブ帯域 １〜Ｎ）を備えている。各サブ帯域は、そのあと、そのサブ帯域が使用中４０４にあるか、あるいは特定のセルにおいて使用中４０５について利用可能かどうかを示して、バイナリ値づけられたロードインジケータ４０２を供給する。より良質の粒度は、サブ帯域分割４０３で供給されるように帯域幅のバイナリ値づけられたロードインジケータと比較するときに、見られることができ、ここにおいて、サブ帯域３〜Ｎは、サブ帯域１及び２が使用中のときに、実質的に利用可能である。
【００６８】
直交セルラシステムにおいて、セル間干渉は、セル端のサービス品質（ＱｏＳ）を確実にするために、緩和される必要がある。異なるシステムは、異なる形式の技術を利用しているが、本質的には、２つの論派がある。ネットワークベースの解決法においては、各セルは、その近隣セルの信号雑音比(signal to noise ratio)（ＳＮＲ）測定値に基づいて、各ＵＥの伝送パワースペクトル密度（Ｔｘ ＰＳＤ）を制御する−これは、一般的なパケット無線サービス(general packet radio service)（ＧＰＲＳ）に似ている。ＵＥベースの解決法においては、各ＵＥは、近隣セルＳＮＲに基づいて、それ自身のＴｘ ＰＳＤを制御する。さらに、ＵＥベースの解決法においては、２つの態様がある。近隣セルベースの態様においては、各ＵＥは、検出する１サブセットの近隣セル−高速アップリンクパケットアクセス(high-speed uplink packet access)（ＨＳＵＰＡ）、ＬＴＥ、及びＤＯｒＣに似ている、によって送信されるアップリンクロードインジケータをモニタする。サービングセルの一態様においては、サービングセルは、地理的な近隣セル（例、フラッシュで使用される）のアップリンクロードをブロードキャストする。ここに説明される態様は、上記の２つの解(solutions)を適切に組み合わせる、ＵＥベースのアップリンクロード管理スキームを利用する。
【００６９】
開示されたＵＥベースのロード管理システムは、同期あるいは非同期のいずれかで動作する、マルチプルセルにわたって(across)処理されることができる。このことは、個別のＵＥ機能がセル間干渉の縮小を最適化することにおける要因になることを可能にする。ＵＥが開始されるとき、サービングセルオペレーションのタイプを示して（例、同期あるいは非同期）、サービングセルのアクセスノードからメッセージを典型的に受信する。オペレーションのタイプは、セル間干渉を縮小することにおいて、ある方法あるいは別の方法に、ＵＥを従わせることができる。現在の方法は、オペレーションのサービングセルのモードに依存する可能性のない、セル間干渉の縮小のベストな方法をＵＥが見つけ出すことを可能にする。１つの制限しない例において、ＵＥは、非同期セルにおいて動作しているが、近隣セルのロードデータを直接にアクセスする機能を有している。このケースにおいては、サービングセルのバックホールチャネルを通じて到達することができるサブ帯域情報ごとの近隣セルバイナリロードを待機するよりも、サブ帯域情報ごとのより早いダイレクト近隣セルバイナリロードに依存して、その送信パワースペクトラム密度を減らすあるいは維持するために、ＵＥは動作することができる。
【００７０】
ＵＥベースのアプローチにおいては、各解決法の賛否両論(pros and cons of each solution)がある。近隣セルベースの態様においては、ＵＥは、近隣セルのロードを早く検出することができる。しかしながら、非同期システムにおいては、ＵＥは、マルチプル高速フーリエ変換(fast fourier transform)（ＦＦＴ）タイミングを維持する必要があり、各近隣セルのうちの１つが検出されると、−それは、否定(con)である可能性がある。サービングセルベースの態様においては、ＵＥは、いずれの近隣セルのタイミングも維持する必要はない−これは有利である。しかしながら、ロード情報は、バックホール(con)を通じて伝播する必要がある。
【００７１】
ハイブリッドアプローチ（例えば様々な特徴を組み合わせる）は、改善されたパフォーマンスを結果としてもたらす。組み合わせるために、各セルは、両方のパラメータをブロードキャストし、受信機（Ｒｘ）におけるアップリンクセル間干渉が見られる。バイナリ値付けられたロードインジケータは、サブ帯域ごとに利用され、このことは、それぞれのセルが特定のサブ帯域上でロードされるか、されないかどうかを示す。サブ帯域は、トータルシステム帯域幅よりも小さいあるいは等しい（例、それぞれ９００ＫＨｚの２０のサブ帯域と１８ＭＨｚのスパンされた帯域幅とを備えた２０ＭＨｚシステム）。伝送は、プライマリブロードキャストチャネル上で行われる(broadcast channel)（ＢＣＨ）。近隣セルのロードに関して、ロードすることは、地理的に近いセルから行なわれており、ロードはサブ帯域ごとに示される。
【００７２】
ＵＥの態度(behavior)に関して、ＵＥは、検出される近隣セルのロードに依存してＴｘ ＰＳＤを減らす。検出は、２つのアプローチ：（１）近隣セルから伝送された復号されたロードインジケータ、（２）サービングセルから伝送された復号された近隣セルのロード情報、のいずれかに基づいている。同期システムにおいては、ＵＥは、近隣セルから伝送されたロードインジケータに依存する。非同期システムにおいては、ＵＥは、サービングセルから送信された近隣セルのロード情報に依存する。
【００７３】
代替的な態様においては、ＵＥ機能（例えば、マルチプルＲｘタイミングを維持する機能、ＴｘＢＷ機能（１０ＭＨｚ対２０Ｍｈｚ、及びピークデータレート機能）に依存して非同期システムにおける態度を構想する(envision)ことができる。ＵＥは、システムが同期かどうかを知っており、情報は、ＢＣＨ（ブロードキャストチャネル）上でシステムパラメータの一部として伝送される。
【００７４】
前述の議論は、与えられたセルについてサブ帯域に帯域幅を分割することに焦点を当てる。開示された態様は、この例によって限定されていないということは理解されるべきであり、セルをセクタに分割し、そのあと、セクタ帯域をサブ帯域に分割するような他のアプリケーションを含んでいる。
【００７５】
また、別の態様が図５に示されている。一態様において、ロード制御コマンドの伝送（および／または符号化）は、ロード制御のために無線インタフェースにわたって割り付けられるビットの数に依存するようにさせられ、全体の帯域幅を通じて、一度にサブ帯域を、一度にグループを、一度に単一のビットを、一度に１セットのビットを、あるいはそれらの組み合わせを、サイクルさせる(be it cycling)。すべてのサブ帯域グループについてのロード制御情報を伝播させるために、我々は、一度に無線にわたって１つのサブ帯域グループのロード制御を送信し、全体のサブ帯域グループを通じて徐々にサイクルすることができる。
【００７６】
この態様５００は、１０ｍｓの典型的なタイムスライス５１０を表示する。そのタイムスライス内で、５つのサブ帯域５２０、５３０、５４０、５５０、及び５６０は、通信用の規則的なタイムスロットを、供給される。制御制約されたサブ帯域についてのスロットは、データについての帯域幅を増大させるために修正される。状態５７０においては、制御１データは、禁止されたサブ帯域及びタイムスロット(the proscribed sub-band and time slot)において、供給される。制御２〜制御Ｎについてのサブ帯域は、制約された制御グループよりも異なるオペレーショナル特性を備えたデータサブ帯域グループに属するということが注目されるべきである。状態５８０において、制御２データは、状態４５０の制御１データと同じタイムスロットと禁止されたサブ帯域(proscribed sub-band)において、送られる。このケースにおいては、制御１および制御Ｎに対応するさらなるタイムスロットは、データを搬送するために除去される(freed)。このサイクルは、状態５９０まで継続し、なお、制御Ｎタイムスロットは、制御Ｎ特性データを搬送し、すべての他の制御サブ帯域についてのタイムスロットは、さらなるデータ使用について除去される。この様式において、制御制約されたオペレーショナル特性によって通常制限されるリソースは、各タイムスライスにおいてデータとより効率的に使用される。したがって、この態様は、制御伝送の限定要因を実際には省略している、システムのキャパシティ要件（例、制御トラフィック、モバイル局のアイドルオペレーション）に依存して、すべてのスロットの代わりに、Ｃサブ帯域がいくつかの特定のタイムスロット（時間において非連続的(non-contiguous in time)）においてのみ出現し、Ｃサブ帯域レスオペレーション(C-sub-bands-less operations)を限定するように動作する。どのくらい頻繁に制御ビットが送られるかを制御することによって、従来のロード制御のケースと比較して、より少ない周波数アップリンクロード制御を有し、データトラフィックについてのリソースを開く(open up)ことは可能である。
【００７７】
あるいは、他の個別の符号化／ジョイント符号化オプション、例えば図７でより詳細に説明されるような、ｏｒ−ｏｆ−ｄｏｗｎ ｒｕｌｅ、ｏｒ−ｏｆ−ｕｐ ｒｕｌｅ、サブ帯域グループコマンドのより複雑な組み合わせ、もまた可能であるという態様において、構想されることができる。
【００７８】
図６Ａおよび６Ｂは、現在のアプリケーションの別の態様を表示する。一般的に、端末におけるパワースペクトラム密度（ＰＳＤ）調整ステップサイズ（ＳＳ）は、異なるサブ帯域グループコマンドについて異なるように、異なるモバイル局について異なるように（チャネル条件）、及び／または、異なるセルについて異なるように、特に異なる周波数繰り返し要因について、設計されることができる。すなわち、ステップサイズ（例、ダウンコマンド、アップコマンド、あるいはホールドコマンド）は、Δ（Ｋ，Ｍ，Ｒ）≧０として表されることができ、ここで、Ｋはモバイル局のインデックスであり、Ｍはサブ帯域グループのインデックスであり、Ｒは、周波数繰り返しインデックスである。ステップサイズは、Ｋ、ＭおよびＲのいくつかの組み合わせに関しては、０である可能性がる。
【００７９】
図６Ａにおいて、基地局６２０によって制御されるように、セル６００は、部分周波数繰り返しに基づいてセクタに分けられる。セクタは、６１０１，６１０２，…６１０Ｒとして記されている。例示的な例において、繰り返し要因は３（Ｒ＝３）である。セルにおいて示されるいくつかのＵＥおよびそれらは、６３０ｎで記されており、ここにおいてｎ＝整数Ｋである。Ｋは、セルにおいて動作しているＵＥのトータル数である。Ｋが静的な数字でない可能性が最も高く、徐々に変更するということは、理解されるべきである。示されているように、ＵＥ６３０１及び６３０２はセクタ２の６１０２において存在しており、またＵＥ６３０３〜６３０Ｋはセクタ１の６１０１において存在する。
【００８０】
図６Ｂにおいては、６２０の帯域幅は、帯域幅６４０１、６４０２、６４０Ｍまで分けられている。サブ帯域６４０１〜６４０４は、サブ帯域のグループセクタ１として表示されている。サブ帯域６４０５〜６４０８はサブ帯域のグループセクタ２として表示されている。サブ帯域６４０９〜６４０Ｍは、サブ帯域グループセクタＲを備えている。図３で説明されるＵＥ(UE’s)の例と同様に個別のＵＥ(UE’s)は、同じセクタ内であっても、市場的に異なるチャネル条件を有してもよい。さらに、与えられたセクタ内で同様にＵＥ(UE’s)を制御することができるようになることは望ましいであろうということが構想されてもよい。以前に示したように、個々のサブ帯域による制御は、さらに有利な特徴である。現在の態様においては、ＵＥ、サブ帯域、及びセクタ、の条件のそれぞれは、ＵＥ、サブ帯域、及びセクタのインデックスを通じて、６２０から６３０１、６３０２、…６３０Ｋへと、制御コマンドのステップサイズに、システムデータを組み込むことによってロード制御方法に寄与することができる。したがって、具体的な例として、ＵＥ６３０１は、サブ帯域６４０５および６４０６を使用している。ＵＥ６３０１に対してパワーを増大させあるいは減少させる特定のロードコマンドは、ＳＳΔ（１、５−６、２）によって決定されるインクリメンタルパワーのステップサイズを示すことができる。このステップサイズは、他のＵＥ（例えば、６３０３はサブ帯域６４０３を使用しており、ＳＳΔ（３、３、１）によって決定されるステップサイズを有するであろう）に対して基地局６２０によって発行される他のステップサイズコマンドと異なっていてもよい。ＵＥ６３０１についてのステップサイズはまた、インデックスがセル６００についての変更ｓｉｎ状態(change sin state)でアップデートされるので、徐々に異なっていてもよい。この方法において、ステップサイズ制御は、ＵＥ及びシステム制御において、さらにすばらしい精度(far greater precision)を供給する要因の数にうまくチューニングされる(fine tuned)ことができる。
【００８１】
図７Ａ及び７Ｂは、ＵＥの様々なコマンドについての異なり及びフレキシブルなセルメトリックオペレーショナルレベル(different and flexible cell metric operational levels)を扱っていることに関して便利である態様を説明する。限定しない例において、無線にわたって送信されたロード制御コマンドがサブ帯域グループ依存であるとき、ＵＥは異なるサブ帯域グループコマンドについて異なって応答することが望ましい。このことは、ＵＥが１サブ帯域以上を占有し、すべてのサブ帯域がオーバロードされないときには、とりわけあてはまる。システムパラメータの最適化は、ＵＥが基地局からパワー制御コマンドを修正することを、命令することができる。この態様においては、コマンドのステップサイズは、採択されたアプローチに基づいて、修正される。いくつかのアプローチを可能にすることは、全体のシステムのパフォーマンスを良質にチューンするための頑強性(robustness)を供給する。
【００８２】
図７Ａにおいて、セルの帯域幅は、サブ帯域７１０とロードインジケータ７２０及び７２１に関連付けられている。ＵＥは、１サブ帯域グループよりも広く及ぶことができるサブ帯域１及び２において動作しており、したがって、１サブ帯域グループロードコマンドよりも多く受信する。描かれた例において、サブ帯域グループは、ｎ＝１サブ帯域から成る。システムコマンド情報に関するＵＥについてのさまざまな可能性のある反応は、すくなくとも次のアプローチを含むことができる。
【００８３】
保守的なアプローチ７３０は、ＵＥオペレーティンググループ(UE operating group)を構成するいずれのサブ帯域におけるＤｏｗｎコマンドの存在にしたがって、ステップサイズ応答をもたらす(yield)であろう。すなわち、もし基地局からのサブ帯域グループパワーコマンド（図示されていない）がＵＥオペレーティンググループを構成するサブ帯域のうちのいずれについて、パワーダウン命令(a power down direction)を示す場合には、ＵＥはパワーダウンのステップを踏むであろう。この方法は、ＳＳＣと示され、「ＯＲ ｏｆ ＤＯＷＮｓ」として要約されることができる。例示的な例において、サブ帯域情報７２０及び７２１を受信するＵＥは、ステップサイズＳＳＣによってパワーダウンすることによって７３１、反応するであろう。
【００８４】
積極的なアプローチ７４０は、ある条件における値であることができるということが構想される。このシナリオにおいて、ＵＥは、それが動作するサブ帯域のうちのいずれ（例、サブ帯域３）もロードされない場合には、パワーを増大するように命令される。この方法は、ＳＳＡとして示されており、「ＯＲ ｏｆ Ｕｐｓ」として要約されることができる。この例示的な例においては、サブ帯域情報７２０及び７２１を受信しているＵＥは、ステップサイズにＳＳＡよってパワーアップすることによって７４１、反応するであろう。
【００８５】
コマンドについてのステップサイズが調節されることができる（例えば、サブ帯域が割り当てられるとき、帯域幅に比例、時間に比例）、比例アプローチ７５０及び７６０もまた、構想されている。例えば、７５０の制限しない例において、ステップサイズ調整７５１（ＳＳＰと表わされている）は、サブ帯域関連システムオペレーショナル特性７２０及び７２１に比例している。７１５は、３サブ帯域のうち２つがロードされているが第３番目はロードされてないということを示すので、ＵＥは、命令されたダウンワードパワースペクトル密度ステップを２／３で比例的に、あるいは、ＰＳＤ ｄｅｌｔａ＝（２／３）＊ＮＯＭ＿ＳＴＥＰ＿ＳＩＺＥで修正することができる
図７Ｂは、特定のＵＥについてのサブ帯域が割り当てられるときに、ロード制御に対するＵＥ応答が時間７７０に比例的である、一実施形態を開示する。この方法において、限定しない例示的な例は、１０ｍｓの時間フレーム７６１を供給しており、ここで、それぞれのＮ数のサブ帯域は、１／Ｎｍｓのタイムウィンドウを割り当てられている。１０ｍｓフレーム内で、タイムスライスにおけるこのセルについて４つのサブ帯域が表されており、ＵＥは、サブ帯域１ ｔ１（ｍｓ）を使用し、サブ帯域２ ｔ２（ｍｓ）を使用し、ＵＥは、残りの１０−ｔ１−ｔ２（ｍｓ）内で何も送信しない。ＵＥによって使用中の２つのスライスは、ロードされた１スライスと、ロードされていない１スライスと、の対応するシステム特性を有している。時間比例アプローチ７７０は、そのあと、次のパラメータ：サブ帯域-１についてのロードインジケータ（真あるいは偽）、サブ帯域-２についてのロードインジケータ（真あるいは偽）、サブ帯域-１＝ｔ１／１０についての時間の部分(fraction of time)、サブ帯域-２＝ｔ２／１０についての時間の部分、にしたがって、ＰＳＤ調整をＵＥに供給する。これは、ＳＳＴＰによって示される。
【００８６】
周波数／時間あるいは他の潜在的な要因のそのような組み合わせのような多くが適用されることができ、示されているように請求項の範囲内に入る。
【００８７】
図８を参照すると、セル間干渉の緩和の例示的な態様が示されている。セル８５０において、エンドノード８７０及び８６０は、サブ帯域ロードインジケータ８９０によって表されているように、サブ帯域１及び２を使用する。セル８５１においても使用されている、その同じ周波数帯域については、サブ帯域ロードインジケータ８９１は、どのサブ帯域エンドノード８７１が使用しているかを図示する。エンドノード８６１は、異なる周波数帯域を一緒に使用している（示されていない）。これらの条件の下、セル間干渉についての懸念事項は、ＯＦＤＭシステムにおいて重大(critical)であろう。従来の制御において、７４０によって生成されるようにロードインジケータは、７４１に対して入手できないかもしれない。ロードインジケータが近隣セル間で共有されるケースにおいては、サブ帯域の態様は、システムの粒度を増大させる。増大された粒度は、異なるセルにおいて使用される与えられた周波数において周波数サブ帯域のより効率的な、より密度な使用を可能にする。図示される例示的な例において、エンドノード７６０、７７０、及び７７１についてのパワースペクトル密度（ＰＳＤ）は、セル間干渉がないので、それらの個別のレベルにおいて現存することができる。エンドノード７７１がサブ帯域２において動作していたならば、実際、７４１〜７７１まで、７４０〜７６０まで、そして７７０からの制御コマンドと干渉が存在するであろう。サブ帯域ロードインジケータは、エンドノードすべてが同じ周波数帯域にあるにも関わらず、干渉もなく、したがって、パワーレベルを変更する必要もなく、ＵＥ(UE’s)が伝送パワーにおいて不必要な縮小なしで効率的に動作することを可能にするということを図示する。
【００８８】
図９を参照すると、ここに示されている様々な実施形態にしたがって、無線通信システム９００が図示されている。システム９００は、通信リンク９０５、９０７、９０８、９１１、９４１、９４１’、９４１”、９４１Ａ、９４５、９４５’、９４５”、９４５Ｓ、９４７、９４７’、９４７”および９４７Ｓによって相互接続された、複数のノードを備えている。例示的な通信システム９００におけるノードは、通信プロトコル（例、インターネットプロトコル（ＩＰ））に基づいて信号（例、メッセージ）を使用して、情報を交換することができる。システム９００の通信リンクは、例えば、ワイヤ、光ファイバケーブル、及び／または、無線通信技術を使用して、インプリメントされてもよい。例示的な通信システム９００は、複数のエンドノード９４４、９４６、９４４’、９４６’、９４４’’、９４６’’を含んでおり、複数のアクセスノード９４０、９４０’、および９４０’’を介して通信システム９００にアクセスする。
【００８９】
エンドノード９４４，９４６，９４４’，９４６’，９４４’’,９４６’’は、例えば、セルラ電話、スマートフォン、ラップトップ、ハンドヘルド通信デバイス、ハンドヘルドコンピューティングデバイス、衛星ラジオ、グローバルポジショニングシステム、ＰＤＡ、及び／または、無線通信システム９００全体にわたって通信するためのいずれの他の適切なデバイスであってもよい。また、エンドノード９４４−９４６は、固定であってもよいし、モバイルであってもよい。
【００９０】
アクセスノード９４０，９４０’，９４０’’は、送信機チェーンと受信機チェーンを備えることができ、それぞれは、当業者によって認識されるように、信号送信及び受信に関連づけられた複数のコンポーネント（例、プロセッサ、モジュレータ、マルチプレクサ、デモジュレータ、デマルチプレクサ、アンテナ、等）を代わりに備えることができる。アクセスノード９４０，９４０’，９４０’’は、例えば無線アクセスルータあるいは基地局であってもよい。アクセスノード９４０は、固定局及び／またはモバイルであってもよい。
【００９１】
エンドノード９４４−９４６は、いずれの与えられた時において、ダウンリンクチャネル及び／またはアップリンクのチャネル上で、アクセスノード９４０（および／または、異なるアクセスノード（複数または単数））と通信することができる。ダウンリンクは、アクセスノード９４０からエンドノード９４４−９４６までの通信リンクを指しており、アップリンクチャネルは、エンドノード９４４−９４６からアクセスノード９４０までの通信リンクを指している。アクセスノード９４０は、他の基地局（単数または複数）、及び／または、例えばアカウンティング、ビリングなど、エンドノード９４４−９４６の認証及び認可などの機能を実行することができるいずれの異なるデバイス（例、サーバ９０４、ノード９０６、９０８、９１０）と、さらに通信することができる。
【００９２】
例示的な通信システム９００はまた、相互接続性を供給するために、あるいは、特定のサービスあるいは機能（例、サービング及び非サービングセルのサブ帯域バイナリ値ロードインジケータデータのためのバックホールパス）を供給するために、使用される多数の他のノード９０４、９０６、９０９、９１０、及び９１２を含んでいる。特に、例示的な通信システム９００は、エンドノードに関係する(pertaining)状態の転送及び保存をサポートするために使用されるサーバ９０４を含んでいる。サーバノード９０４は、ＡＡＡサーバ、コンテキスト転送サーバ、ＡＡＡサーバ機能性及びコンテキスト転送サーバ機能性の両方を含んでいるサーバ、であってもよい。
【００９３】
例示的な通信システム９００は、サーバ９０４、ノード９０６及びホームエージェントノード９０９、を含んでいるネットワーク９０２を図示しており、対応するネットワークリンク９０５、９０７、及び９０８それぞれによって、中間ネットワークノード９１０に接続されている。ネットワーク９０２における中間ネットワークノード９１０は、また、ネットワークリンク９１１を介してネットワーク９０２の観点から外部であるネットワークノードに対して相互接続性を供給する。ネットワークリンク９１１は、別の中間ネットワークノード９１２に接続されており、ネットワークリンク９４１、９４１’、９４１’’を介して、それぞれ、複数のアクセスノード９４０、９４０’、９４０’’に対してさらなる接続性を供給する。
【００９４】
各アクセスノード９４０、９４０’、９４０’’は、それぞれ対応するアクセスリンク（９４５、９４７）、（９４５’、９４７’）、（９４５’’、９４７’’）を介して、それぞれ、複数のＮエンドノード（９４４、９４６）、（９４４’、９４６’）、（９４４’’、９４６’’）に対して接続性を供給するものとして図示されている。同期システムにおいて、９４５Ｓ及び９４７Ｓのようなアクセスリンクはまた、利用可能である可能性がある。同期システムあるいは非同期システムにおいては、エンドノードは、９４１Ａによって図示されるそれら自体のセル環境の外でアクセスノードに対してアクセスリンクを確立する機能を有する可能性がある。例示的な通信システム９００においては、各アクセスノード９４０、９４０’、９４０’’は、アクセスを供給するために無線技術（例、無線アクセスリンク）を使用されるものとして図示されている。各アクセスノード９４０、９４０’、９４０’’の無線カバレッジエリア（例、通信セル９４８、９４８’、および９４８’’）は、それぞれ、対応するアクセスノードを囲っている円として図示される。
【００９５】
マルチセルネットワークにおけるセル近隣の例示的な態様が表わされている。そのサービスエリア９４８によって表わされるようなセルは、近隣セル９４８’および９４８’’を有してもよい。平等に、セルは、アクセスノード９４０とその近隣９４０’及び９４０’’によって表わされていてもよい。現在の発明の一態様にしたがって、各セルは、サブ帯域１〜Ｎについてのサブ帯域バイナリ値付けられたロードインジケータデータ（そのセルで使用されている周波数サブ帯域の場合は、バイナリデータビット１〜Ｎ）をブロードキャストする（例、ＢＣＨチャネル上で）。それ自体のロードインジケータデータに加えて、バックホールチャネルを通じたセルは、その近隣セルのアクティビティについてサブ帯域ベースで、バイナリ値づけられたロードインジケータデータもまた送信するであろう。最小で、アクセスノード９４０は、エンドノード９４４〜９４６についてロードデータを供給しており、同様に、サブ帯域のすべての近隣セルは、エンドノード９４４’、９４６’、９４４’’から９４６’’までのエンドノードを含んで使用している。
【００９６】
この例示的なモデルの間に(that while this an exemplary model)、本発明は、このモデルに限定されず、特許請求の範囲においてキャプチャされるすべての並び替えをカバーするということは注目してください。セルが周波数繰り返しのシナリオにおいてセクタ化される場合には、そのときには、サブ帯域ごとの近隣セクタバイナリロードインジケータデータが送信されるであろう（示されていない）。
【００９７】
例示的な通信システム９００は、ここに記載される様々な態様の説明についての基本として表わされている。さらに、様々な異なるネットワークトポロジ(network topologies)が、特許請求される主題の事柄の範囲内に入るように意図されており、ここで、ネットワークの数及びタイプ、アクセスノードの数及びタイプ、エンドノードの数及びタイプ、サーバと他のエージェントの数及びタイプ、リンクの数及びタイプ、そして、ノード間の相互接続性は、図９で図示された例示的な通信システム９００のそれとから異なっていてもよい。さらに、例示的な通信システム１００における機能的なエンティティは、省略されてもよいし、組み合わされてもよい。また、ネットワークにおける機能エンティティのロケーションあるいは配置(placement)は、異なっていてもよい。
【００９８】
図１０は、様々な態様に関連づけられた例示的なエンドノード１０００（例、モバイルノード、無線端末、ユーザ機器）を図示する。例示的なエンドノード１０００は、図９で図示されたエンドノード（例、９４４，９４６，９４４’，９４６’，９４４’’，９４６’’）のいずれか１つとして使用されることができる装置であってもよい。図示されているように、バス１００６によって一緒に結合された、エンドノード１０００は、プロセッサ１００４、無線通信インタフェース１０３０、ユーザ入力／出力インタフェース１０４０、及びメモリ１０１０を含んでいる。したがって、エンドノード１０００の様々なコンポーネントは、バス１００６を介して、情報、信号、及びデータを交換することができる。エンドノード１０００のコンポーネント１００４、１００６、１０１０、１０３０、１０４０は、ハウジング１００２の中に配置されてもよい。
【００９９】
無線通信インタフェース１０３０は、エンドノード１０００の内部コンポーネントが外部デバイス及びネットワークノード（例、アクセスノード）に送信し、外部デバイス及びネットワークノード（例、アクセスノード）から受信することができるメカニズムを供給する。無線通信インタフェース１０３０は、例えば、他のネットワークノードに（例、無線通信チャネルを介して）エンドノード１０００を結合するために使用される、対応する受信アンテナ１０３６を備えた受信機モジュール１０３２と、対応する送信アンテナ１０３８を備えた送信機モジュール１０３４と、を含んでいる。
【０１００】
例示的なエンドノード１０００は、ユーザ入力デバイス１０４２（例、キーパッド）と、ユーザ出力デバイス１０４４（例、ディスプレイ）と、をさらに含んでおり、それらは、ユーザ入力／出力インタフェース１０４０を介してバス１００６に結合されている。したがって、ユーザ入力デバイス１０４２と、ユーザ出力デバイス１０４４は、ユーザ入力／出力インタフェース１０４０及びバス１００６を介して、エンドノード１０００の他のコンポーネントで情報、信号、及びデータを交換することができる。ユーザ入力／出力インタフェース１０４０と、関連づけられたデバイス（例、ユーザ入力デバイス１０４２、ユーザ出力デバイス１０４４）は、様々なタスクを達成するためにエンドノード１０００をユーザが操作することができるメカニズムを供給する。特に、ユーザ入力デバイス１０４２とユーザ出力デバイス１０４４は、エンドノード１０００と、エンドノード１０００のメモリ１０１０において実行するアプリケーション（例、モジュール、プログラム、ルーチン、機能、等）と、をユーザが制御することを可能にする機能性を供給する。
【０１０１】
プロセッサ１００４は、メモリ１０１０において含まれている様々なモジュール（例、ルーチン）の制御下にあってもよいし、ここに説明されているように様々なシグナリング及びプロセッシングを実行するように、エンドノード１０００のオペレーションを制御してもよい。メモリ１０１０において含まれているモジュールは、スタートアップ時(on start up)、あるいは、他のモジュールによって呼び出されるときに、実行される。モジュールは、実行されるときに、データ、情報、及び信号を交換することができる。モジュールは、実行されるときに、データ及び情報も共有することができる。エンドノード１０００のメモリ１０１０は、シグナリング／制御モジュール１０１２と、シグナリング／制御データ１０１４と、を含むことができる。
【０１０２】
シグナリング／制御モジュール１０１２は、状態情報の保存、検索(retrieval)、及び処理の管理のために、信号（例えば、メッセージ）を受信し、送信することに関する処理を制御する。シグナリング／制御データ１０１４は、例えばパラメータ、ステータス、及び／またはエンドノードのオペレーションに関する他の情報、のような状態情報を含んでいる。特に、シグナリング／制御データ１０１４は、構成情報(configuration information)１０１６（例、エンドノード識別情報）と、オペレーショナル情報(operational information)１０１８（例、現在の処理状態についての情報、ペンディング応答の状態、等）と、を含むことができる。シグナリング／制御モジュール１０１２は、シグナリング／制御データ１０１４（例、アップデート構成情報１０１６及び／またはオペレーショナル情報１０１８）、にアクセスする、及び／または、を修正することができる。
【０１０３】
エンドノード１０００のメモリ１０１０は、コンパラータモジュール(comparator module)１０４６、パワー調整器モジュール(power adjuster module)１０４８、および／または、エラーハンドラモジュール(error handler module)１０５０、をさらに含んでもよい。図示されていないけれども、コンパラータモジュール１０４６、パワー調整器モジュール１０４８、および／または、エラーハンドラモジュール１０５０は、メモリ１０１０において保存されることに関連づけられたデータを、保存及び／または検索することができるということを理解されるべきである。コンパラータモジュール１０４６は、エンドノードに関連づけられた受信された情報を評価し、期待された情報との比較を実現する(effectuate)ことができる。
【０１０４】
エンドノード１０００は、パワー調整器モジュール１０４８と、コンパラータモジュール１０４６と、をさらに含むことができる。パワー調整器１０４８は、アクセスノード１１００（図１１）（及び／または、異なる無線端末）に関連づけられたパワーレベルを測定することができる。さらに、パワー調整器モジュール１０４８は、パワーレベルを調整することを容易にするために、パワーコマンドをアクセスノード１１００に送信することができる。例えば、パワー調整器モジュール１０４８は、第１のサブセットの伝送単位に関連づけられた１以上の伝送単位(transmission units)で、パワーコマンドを送信することができる。パワーコマンドは、例えば、パワーレベルを増大させ、パワーレベルを低下させ、パワーレベルのままであるように、及び同様なものを示すことができる。パワーを増大させ、あるいは、低下させるためのパワーコマンドの受信の時に、アクセスノード１１００は、関連づけられたパワーレベルを、固定された（例、プリセットされた）及び／または可変の量に変更することができる。プリセットされた量は、ある要因（周波数繰り返し要因、異なるモバイル局におけるチャネル条件）に基づいた可変のサイズであってもよい。さらに、コンパラータモジュール１０４６は、無線端末（例、アクセスノード１１００）に関する端末識別子の機能として情報を、第２のサブセットの伝送単位に関連づけられた１つ以上の伝送単位において、送信することができる。さらに、１以上のＯＮ識別子は、セッションＯＮ状態のときに各無線端末に割り当てられることができ、また、ＯＮ識別子は、第１のサブセット及び第２のサブセットの伝送単位に関連づけられてもよい。伝送単位は、可変フォーマット（例、時間ドメイン、周波数ドメイン、時間及び周波数ドメインの両方のハイブリッド）においてであってもよい。
【０１０５】
パワー調整器モジュール１０４８は、ダウンリンクパワー制御チャネル(downlink power control channel)（ＤＬＰＣＣＨ）にわたって、パワーコマンドを送信することができる。一例に従って、リソースは、アクセスノード１１００はセッションＯＮ状態にアクセスするときに、エンドノード１０００によってアクセスノード１１００に割り当てられることができ、このようなリソースは、特定のＤＬＰＣＣＨセグメント、１以上のＯＮ識別子、等を含むことができる。ＤＬＰＣＣＨは、アクセスノード１１００の伝送パワーを制御する、ダウンリンクパワー制御メッセージを送信するために、基地局セクタアタッチメントポイント（例、パワー調整器１０４８を利用している）によって使用されることができる。
【０１０６】
コンパラータモジュール１０４６は、パワーコマンドがパワー調整器モジュール１０４８によって転送されるパワーコマンドと一緒に対応する無線端末（例、アクセスノード１１００）に関連づけられた情報を送信することができる。例えば、コンパラータモジュール１０４６は、無線端末（例、アクセスノード１１００）に関連づけられた端末識別子（例、スクランブリングマスク）の機能として情報を送信することができる。コンパラータモジュール１０４６は、ＤＬＰＣＣＨにわたってそのような情報を転送することができる。図にしたがって、アクセスノード１１００に関連づけられた情報は、パワー調整器モジュール１０４８から１サブセットのパワーコマンドの送信を備えたＤＬＰＣＣＨにわたって送信されてもよい。
【０１０７】
最適化モジュール(optimizer module)１０５２は、外部情報（例、環境要因(environmental factors)、優先(preferences)、ＱｏＳ、顧客選好(customer preferences)、顧客ランキング(customer ranking)、履歴情報(historical information)）との割り当てに関連して利用されることができる。人工知能（ＡＩ）モジュール１０５４は、ここに説明されているように、様々な態様（例、遷移通信リソース(transitioning communications resources)、分析リソース(analyzing resources)、外部情報、ユーザ／ＵＥ状態(user/UE state)、優先、サブ帯域の割り当て(sub-band assignments)、パワーレベル設定(power level setting)）を自動的に実行することを容易にするために、人工知能技術を利用することができる。さらに、推定ベースのスキーム(inference based schemes)は、与えられた時間及び状態において実行されるべき意図されたアクションを推定することを容易にするために、利用されることができる。本発明のＡＩベース態様は、いずれの適切なマシンラーニング(machine-learning)ベースの技術、及び／または、統計ベースの技術、及び／または、見込みベースの技術を介して実現される可能性がある。例えば、エキスパートシステム(expert systems)、ファジーロジック(fuzzy logic)、サポートベクトルマシン(support vector machines)（ＳＶＭｓ）、隠れマルコフモデル(Hidden Markov Models)（ＨＭＭｓ）、グリーディサーチアルゴリズム(greedy search algorithms)、ルールベースのシステム、ベイジアンモデル（例、ベイジアンネットワーク）、神経ネットワーク(neural networks)、他の非線形トレーニング技術、データフュージョン(data fusion)、有用性ベースの分析的なシステム(analytical systems)、ベイジアンモデルを利用しているシステム、等が熟慮されている。
【０１０８】
図１１は、ここに説明される様々な態様にしたがってインプリメントされる例示的なアクセスノード１１００の図示を供給する。例示的なアクセスノード１１００は、図９において図示されるアクセスノード(例、９４０、９４０’、及び９４０’’)のうちのいずれか１つとして使用される装置であってもよい。アクセスノード１１００は、バス１１０６によって一緒に結合される、プロセッサ１１０４、メモリ１１１０、ネットワーク／インターネットワークインタフェース１１２０、及び無線通信インタフェース１１３０、を含むことができる。したがって、アクセスノード１１００の様々なコンポーネントは、バス１１０６を介して、情報、信号、及びデータを交換することができる。アクセスノード１１００のコンポーネント１１０４、１１０６、１１１０、１１２０、１１３０は、ハウジング１１０２の中に配置されていてもよい。
【０１０９】
ネットワーク／インターネットワークインタフェース１１２０は、アクセスノード１１００の内部コンポーネントは、外部デバイスおよびネットワークノードに信号を送信し、外部デバイスおよびネットワークノードから信号を受信することができるメカニズムを供給する。ネットワーク／インターネットワークインタフェース１１２０は、アクセスノード１１００を他のネットワークノードに（例、銅線あるいは光ファイバ線を介して）結合するために使用された、受信機モジュール１１２２と、送信機モジュール１１２４と、を含む。無線通信インタフェース１１３０は、アクセスノード１１００の内部コンポーネントが外部デバイスおよびネットワークノード（例、エンドノード）に信号を送信し、外部デバイスおよびネットワークノード（例、エンドノード）から信号を受信することができる、メカニズムもまた供給する。無線通信インタフェース１１３０は、例えば、対応する受信アンテナ１１３６を備えた受信機モジュール１１３２と、対応する送信アンテナ１１３８を備えた送信機モジュール１１３４と、を含んでいる。無線通信インタフェース１１３０は、アクセスノード１１００を他のネットワークノードに（例、無線通信チャネルを介して）結合するために使用されることができる。
【０１１０】
プロセッサ１１０４は、メモリ１１１０に含まれる様々なモジュール（例、ルーチン）の制御下にあってもよいし、様々なシグナリング及びプロセッシングを実行するためにアクセスノード１１００のオペレーションを制御することができる。メモリ１１１０に含まれるモジュールは、スタートアップのときに、あるいは、メモリ１１１０において存在することができる他のモジュールによって呼び出されるときに、実行されることができる。モジュールは、実行するときに、データ、方法、及び信号を交換することができる。モジュールは、実行するときに、データ及び情報を共有することもできる。例として、アクセスノード１１００のメモリ１１１０は、状態管理モジュール１１１２と、シグナリング／制御モジュール１１１４と、を含むことができる。これらのモジュールのそれぞれに対応して、メモリ１１１０はまた、状態管理データ１１１３と、シグナリング／制御データ１１１５と、を含むことができる。
【０１１１】
状態管理モジュール１１１２は、エンドノード、あるいは状態ストレージ及び検索に関する他のネットワークノードからの受信信号の処理を制御する。状態管理データ１１１３は、例えば、他のあるネットワークノードにおいて保存される場合に、状態あるいは状態の一部、あるいは、現在のエンドノード状態のロケーション、のようなエンドノード関連情報を含む。状態管理モジュール１１１２は、状態管理データ１１１３にアクセスしてもよいし、及び／または、状態管理データ１１１３を修正してもよい。
【０１１２】
シグナリング／制御モジュール１１１４は、無線通信インタフェース１１３０にわたってエンドノード、に対して／から、また、基本無線機能、ネットワーク管理等のような他のオペレーションにとって必要なネットワーク／インターネットワークインタフェース１１１２０にわたって他のネットワークノード、に対して／から、信号の処理を制御する。シグナリング／制御データ１１１５は、例えば、基本オペレーションについての無線チャネル割り当てに関するエンドノード関連データ、そして、サポート／管理サーバのアドレス、基本ネットワーク通信のための構成情報、のような他のネットワーク関連データ、を含む。シグナリング／制御モジュール１１１４は、シグナリング／制御データ１１１５にアクセスしてもよいし、及び／または、シグナリング／制御データ１１１５を修正してもよい。
【０１１３】
メモリ１１１０は、固有の識別情報（ＩＤ）割り当てモジュール(a unique identification (ID) assigner module)１１４０、ＯＮ識別情報（ＩＤ）割り当てモジュール１１４２、パワーコントローラモジュール１１４４、及び／または、無線端末（ＷＴ）照合モジュール(wireless terminal (WT) verifier module)１１４６、をさらに含むことができる。固有の割り当てモジュール１１４０、ＯＮ ＩＤ割り当てモジュール１１４２、パワーコントローラ１１４４、及び／またはＷＴ照合モジュール１１４６は、メモリ１１１０に維持された関連データを保存する、及び／または、検索する、ことができる、ということは認識されるべきである。さらに、固有ＩＤ割り当てモジュール１１４０は、無線端末に端末識別子（例、スクランブリングマスク）を割り付けることができる。ＯＮ ＩＤ割り当てモジュール１１４２は、無線端末がセッションＯＮ状態にある間に、ＯＮ識別情報を無線端末に割り当てることができる。パワーコントローラモジュール１１４４は、パワー制御情報を無線端末に送信することができる。ＷＴ照合モジュール１１４６は、伝送単位において無線端末の関連情報を含んで、イネーブルする(enable)ことができる。
【０１１４】
アクセスノード１１００は、アクセスノード１１００に関連づけられた受信情報を評価するコンパラータモジュール１０４６をさらに含むことができる。コンパラータモジュール１０４６は、エンドノード１０００によって記載されるようにアクセスノード１１００がリソースを使用するかどうかを決定するために受信情報を分析することができ、したがって、コンパラータモジュール１０４６は、ＤＬＰＣＣＨにわたって送信されるシンボルのＱコンポーネントにおいて含まれる情報を評価することができる。例えば、エンドノード１０００は、アクセスノード１１００に、割り当てられた識別子（単数または複数）（例、セッションＯＮ ＩＤ）を有することができ、コンパラータモジュール１０４６は、アクセスノード１１００が割り当てられた識別子（単数または複数）に関連づけられた適切なリソースを利用するかどうかを分析することができる。他の例にしたがって、コンパラータモジュール１０４６は、アクセスノード１１００がエンドノード１０００によって割り付けられたＤＬＰＣＣＨのセグメントを使用しているかどうか、及び／または、エンドノード１０００は、アクセスノード１１００に前に割り当てられたリソースを回収する(reclaimed)かどうか、を決定することができる。
【０１１５】
スケジューラモジュール１１４７は、サブ帯域の割り当てと、ここに開示される態様に関する他のリソース管理機能と、を制御するために様々なモジュールからデータを使用する。
【０１１６】
最適化モジュール１１４８は、外部情報（例、環境要因、優先、ＱｏＳ、顧客選好、顧客ランキング、履歴情報）との割り当てに関連して利用されることができる。人工知能（ＡＩ）モジュール１１４９は、ここに説明されているように、様々な態様（例、遷移通信リソース、分析リソース、外部情報、ユーザ／ＵＥ状態、優先、サブ帯域の割り当て、パワーレベル設定）を自動的に実行することを容易にするために、人工知能技術を利用することができる。さらに、推定ベースのスキームは、与えられた時間及び状態において実行されるべき意図されたアクションを推定することを容易にするために、利用されることができる。本発明のＡＩベース態様は、いずれの適切なマシンラーニングベースの技術、及び／または、統計ベースの技術、及び／または、見込みベースの技術、を介して実現される可能性がある。例えば、エキスパートシステム、ファジーロジック、サポートベクトルマシン（ＳＶＭｓ）、隠れマルコフモデル（ＨＭＭｓ）、グリーディサーチアルゴリズム、ルールベースのシステム、ベイジアンモデル（例、ベイジアンネットワーク）、神経ネットワーク、他の非線形トレーニング技術、データフュージョン、有用性ベースの分析的なシステム、ベイジアンモデルを利用しているシステム、等が熟慮されている。
【０１１７】
ここに説明される例示的な態様の観点において、開示された主題の事柄にしたがってインプリメントされることができる方法が説明されている。簡略化のために、方法は、１シリーズのブロックとして示され、説明されているが、主張された主題の事柄は、いくつかのブロックがここに図示され説明された他のブロックと、異なる順序で及び／または同時に発生するかもしれないので、ブロックの数あるいは順序によって限定されないということは理解され、認識されるべきである。さらに、必ずしもすべての図示されたブロックは、それぞれの方法をインプリメントすることを必要としていない。様々なブロックに関連づけられる機能性は、ソフトウェア、ハードウェア、それらの組み合わせ、あるいは、いずれの他の適切な手段（例、デバイス、システム、プロセス、コンポーネント）によってインプリメントされることができるということは、理解されるべきである。さらに、この明細書全体にわたって、また下に開示されるいくつかの方法は、様々なデバイスに対してこのような方法をトランスポートし、転送することを容易にするために、製造品上(on an article of manufacture)で保存されることができるということは、さらに理解されるべきである。当業者は、方法が状態図における例のような１シリーズの相互関係付けられた状態あるいはイベントとして代替的に表されることができるということを認識し理解するであろう。
【０１１８】
図１２は、様々な態様にしたがって、ハイレベルな方法を図示する。１２０２において、セル帯域幅は、Ｎ個のサブ帯域に分割される（Ｎは、整数＞２である）。１２０４において、それぞれのサブ帯域は、それぞれのユーザ機器（ＵＥ）に割り当てられる。様々な割り当てプロトコルはサブ帯域の割り当てを行なうことに関連して利用されることができるということは認識されるべきである。例えば、それぞれのサブ帯域は、特定の目的（例、データタイプ、パワーレベル、距離、干渉緩和、ロードバランシング(load-balancing)…）のために指定されることができ、また、ＵＥｓは、それに対する近接の機能として(as a function of affinity thereto)サブ帯域にそれぞれ割り当てられることができる。さらに、同様のグループについてのサブ帯域の割り当ては、帯域幅のスペクトラムにおいて、連続(contiguous)している必要はないということは、理解されるべきである。
【０１１９】
１２０６においてサブ帯域の割り当ては、それぞれのシステムオペレーショナル特性で整合されている(matched)。このことは、少なくともパワー制御、アドミッション制御、混雑制御、及びシグナルハンドオフ制御を含んでいる。
【０１２０】
１２０８で、サブ帯域の割り当ては、トラッキングされる。１２１０で、コマンドとシステム特性は、特定のサービングセルの制御下でＵＥ(UE’s)にブロードキャストされる。１２１２で、サブ帯域の割り当ては、近隣セルに（例、サブ帯域の割り当てのこのような近隣セルにおいて、基地局あるいはＵＥｓに通告する(apprise)ために）ブロードキャストされる。ブロードキャストは、バックホールチャネルを通じて、直接近隣セルに無線で、あるいは他の方法、によってであってもよい。１２１４で、近隣セルサブ帯域の割り当て同様、サービングセルシステム特性はモニタされる。１２１６で、そのようなモニタリングの結果として、もしサブ帯域構成が変更を有するあるいは変更すべきであるということが決定される場合には、最適化スキームは、構成１２２０に関連して利用されることができ、もしそうでない場合には、サブ帯域の割り当ては、１２１８で維持される。最適化スキームの１２２０は、外部情報（例、環境要因、優先、ＱｏＳ、顧客選好、顧客ランキング、履歴情報）を利用することができる。別の例においては、割り当ては、単一のセル、あるいは複数のセル全体にわたる、ロードバランシングの機能(a function of load-balancing)であってもよい。
【０１２１】
方法の一実施形態は、ここに説明されているように、様々な態様（例、遷移通信リソース、分析リソース、外部情報、ユーザ／ＵＥ状態、優先、サブ帯域の割り当て、パワーレベル設定）を自動的に実行することを容易にするために、人工知能技術を利用することができる。さらに、推定ベースのスキームは、与えられた時間及び状態において、実行されるべき意図されたアクションを推定することを容易にするために利用されることができる。本発明のＡＩベース態様は、いずれの適切なマシンラーニングベースの技術、及び／または、統計ベースの技術、及び／または、見込みベースの技術を介して実現される可能性がある。例えば、エキスパートシステム、ファジーロジック、サポートベクトルマシン（ＳＶＭｓ）、隠れマルコフモデル（ＨＭＭｓ）、グリーディサーチアルゴリズム、ルールベースのシステム、ベイジアンモデル（例、ベイジアンネットワーク）、神経ネットワーク、他の非線形トレーニング技術、データフュージョン、有用性ベースの分析的なシステム、ベイジアンモデルを利用しているシステム、等が熟慮されている。
【０１２２】
図１３は、システムロード制御の具体的なケースにおいて様々な態様にしたがって、ハイレベルな方法を図示する。１３１０において、ロード制御に関連するシステムメトリックが得られる。ここにおける情報は、サブ帯域依存ロード制御について処理されている。
【０１２３】
１３２０において、ロード変更コマンドの最適化ステップサイズが決定されている。このステップは、図１４の中間レベルの方法において、より詳細にカバーされている。１３３０で、コマンド（及びサブ帯域ごとに関連づけられた特性）は、ＵＥと近隣セルに対して送信される。ロード制御コマンドの送信（及び／または符号化）は、ロード制御について無線にわたって割り付けられたビットの数に依存するようにさせられて、全体の帯域幅を通じて、一度にサブ帯域を、一度にグループを、一度に単一のビットを、一度に１セットのビットを、あるいはそれらの組み合わせを、サイクルさせる。すべてのサブ帯域グループのロード制御情報を伝播させるために、我々は、一度に無線にわたって１つのサブ帯域グループロード制御を送信し、全体のサブ帯域グループを通じて徐々にサイクルすることができる。１３４０において、システムの特性がモニタされる。１３５０において、このようなモニタリングの結果として、もしサブ帯域構成が変更を有するあるいは変更すべきであるということが決定される場合には、最適化スキームは、サブ帯域構成１３７０に関連して利用されることができ、もしそうでない場合には、サブ帯域の割り当ては１３６０で維持される。最適化スキームの１３７０は、外部情報と人工知能技術を、上記で説明されるように、利用することができる。
【０１２４】
図１４は、ロード制御決定の様々な態様にしたがって方法を説明する。パワースペクトラル密度（ＰＳＤ）調整のステップサイズ（ＳＳ）は、異なるサブ帯域グループコマンドについて異なるように、異なるモバイル局について異なるように、および／または、異なるセルについて異なるように、特に周波数繰り返し要因について、設計されることができる。すなわち、ステップサイズ（例、ダウンコマンド、アップコマンド、あるいはホールドコマンド）は、Δ（Ｋ,Ｍ,Ｒ）≧０として表されることができ、ここで、Ｋは、モバイル局１４３６のインデックスであり、Ｍは、サブ帯域グループ１４３４のインデックスであり、Ｒは、周波数繰り返しインデックス１４３２である。ステップサイズは、Ｋ，ＭおよびＲのいくつかの組み合わせに関しては、０である可能性がある。最適な送信の決定、符号化及びステップサイズの構成は、上記で説明されているように、最適化スキームを通じて実行されることができる。
【０１２５】
図１５は、様々な態様にしたがって、別の高レベルな方法を図示している。１５１０において、ユーザ機器（ＵＥ）は、ロード制御コマンドとサブ帯域依存ベースの関連システム特性とを受信する。１５２０において、サブ帯域グループのコマンドは、ＵＥオペレーリングサブ帯域(the UE operating sub-bands)と比較される。もし、１５３０において、ＵＥオペレーティングサブ帯域の数は、サブ帯域グループコマンドにおけるサブ帯域の数よりも小さい場合には、１５４０における応答は、サブ帯域ごとのビット制御メカニズム(a bit per sub-band control mechanism)を使用する予定であろう、もしそうでない場合には、１５５０が評価される。１５５０において、もしＵＥのサブ帯域がグループのサブ帯域に整合する場合には、グループコマンド１５６０は、応答として使用される。もし１５５０において、サブ帯域グループコマンドにおけるサブ帯域の数よりもＵＥのサブ帯域が大きいということが決定される場合には、そのときには、１５７０において、最適化スキームは、最適化されたレスポンスを得るために使用される（例、図１６）。１５８０において、上記の応答のそれぞれは、ＵＥロードを調整するために適切なものとして使用される。
【０１２６】
図１６は、様々な態様に従って中レベルの方法を図示しており、特にＵＥのサブ帯域は、サブ帯域グループのコマンドにおけるサブ帯域の数よりも大きいということが決定されるケースの結果を最適化する。１６７１において、システムメトリックは、検索される。１６７２において、最適化スキームは、保守的なＳＳＣ１７７３、積極的なＳＳＡ１７７４、比例ＳＳＰ１７７５、あるいは時間比例ＳＳＴＰ１７７６のベストなアプローチを決定するために使用される。これらのアプローチは、図７で、より詳細にカバーされる。１６７２の最適化スキームは、外部情報（例、環境要因、優先、ＱｏＳ、顧客選好、顧客ランキング、履歴情報）を利用することができる。別の例においては、割り当ては、単一のセル、あるいは、複数のセル全体にわたるロードバランシングの機能であってもよい。
【０１２７】
方法の一実施形態は、ここに説明されているように、様々な態様（例、遷移通信リソース、分析リソース、外部情報、ユーザ／ＵＥ状態、優先、サブ帯域の割り当て、パワーレベル設定）を自動的に実行することを容易にするために、人工知能技術を利用することができる。さらに、推定ベースのスキームは、与えられた時間及び状態において実行されるべき意図されたアクションを推定することを容易にするために利用されることができる。本発明のＡＩベース態様は、いずれの適切なマシンラーニングベースの技術、及び／または、統計ベースの技術、及び／または、見込みベースの技術を介して実現される可能性がある。例えば、エキスパートシステム、ファジーロジック、サポートベクトルマシン（ＳＶＭｓ）、隠れマルコフモデル（ＨＭＭｓ）、グリーディサーチアルゴリズム、ルールベースのシステム、ベイジアンモデル（例、ベイジアンネットワーク）、神経ネットワーク、他の非線形トレーニング技術、データフュージョン、有用性ベースの分析的なシステム、ベイジアンモデルを利用しているシステム、等が熟慮されている。
【０１２８】
図１７は、様々な態様にしたがって、高レベルの方法を図示する。１７０４において、セルの帯域幅は、Ｎ個のサブ帯域に分けられることができる（Ｎは、整数＞２である）。１７０６において、それぞれのサブ帯域は、それぞれのユーザ機器（ＵＥ）に割り当てられる。様々な割り当てのプロトコルは、サブ帯域の割り当てを行うことに関連して利用されることができるということが理解されるべきである。例えば、それぞれのサブ帯域は、特定の目的（例、データタイプ、パワーレベル、距離、干渉緩和、ロードバランシング…）のために指定されることができ、ＵＥｓは、それに対する類似性の機能(a function of affinity)としてサブ帯域にそれぞれ割り当てられることができる。
【０１２９】
別の例においては、最適化スキームは、割り当てに関連して、利用されることができる。同様に、外部情報（例、環境要因、優先、ＱｏＳ、顧客選好、顧客ランキング、履歴情報）は、利用されることができる。別の例において、割り当ては、単一のセルあるいは複数のセルにわたるロードバランシングの機能であってもよい。
【０１３０】
方法の一実施形態は、ここに説明されているように、様々な態様（例、遷移通信リソース、分析リソース、外部情報、ユーザ／ＵＥ状態、優先、サブ帯域の割り当て、パワーレベル設定）を自動的に実行することを容易にするために、人工知能技術を利用することができる。さらに、推定ベースのスキームは、与えられた時間及び状態において、実行されるべき意図されたアクションを推定することを容易にするために利用されることができる。本発明のＡＩベース態様は、いずれの適切なマシンラーニングベースの技術、及び／または、統計ベースの技術、及び／または、見込みベースの技術を介して実現される可能性がある。例えば、エキスパートシステム、ファジーロジック、サポートベクトルマシン（ＳＶＭｓ）、隠れマルコフモデル（ＨＭＭｓ）、グリーディサーチアルゴリズム、ルールベースのシステム、ベイジアンモデル（例、ベイジアンネットワーク）、神経ネットワーク、他の非線形トレーニング技術、データフュージョン、有用性ベースの分析的なシステム、ベイジアンモデルを利用しているシステム、等が熟慮されている。
【０１３１】
１７０８において、サブ帯域の割り当ては、トラッキングされる。１７１０において、サブ帯域の割り当ては、近隣セルにブロードキャストされる（例、サブ帯域の割り当てのそのような近隣セルにおいて基地局あるいはＵＥｓに通告するために）。１７１２において、近隣セルのサブ帯域の割り当ては、モニタされる。１７１４において、このようなモニタリングの機能として、もし、衝突が１７１６でサブ帯域の割り当てに関して存在するということが決定される場合には、制御情報は、例えばセル間干渉を緩和することに関連して衝突のためにパワーを減らすために、特定のＵＥｓに送られる。衝突が存在しない場合には、１７１８において、ＵＥｓは、パワーレベルを維持する。
【０１３２】
帯域幅をそれぞれのサブ帯域にサブ分割することによる前述から容易に理解されることができ、ＵＥパワーレベルのより多くの粒度のチューニングは、従来のスキームと比較して、達成されることができる。結果として、セル間干渉の緩和同様、全体的なシステムリソースの使用も容易にされる。
【０１３３】
図１８は、様々な態様にしたがって高レベルな方法を図示する。１８０４で、サブ帯域の割り当て（単数または複数）は、ユーザ機器によって受信される。１８０６で、決定あるいは識別が、ＵＥのそれぞれの性能／機能に関してなされる。もしＵＥがある性能／機能を所有していないと考えられる場合には、ＵＥは、１８０８で、サブ帯域の割り当てに関連して、基地局からコマンドを単にリスンする(listens)。しかしながら、もしＵＥがここに説明される態様に関連してある性能あるいは機能を所有する場合には、１８１０において、ＵＥは、サブ帯域ロードインジケータデータを衝突させることについて、近隣セルを見る(looks to)。１８１２において、衝突がそれぞれのサブ帯域ロードインジケータデータの機能として存在するか、しないかに関して、決定がなされる。衝突が存在する場合には、ＵＥは、生じるかもしれない干渉を緩和するためにパワーレベルを減らす。衝突が存在しないということが決定される場合には、１８１４において、ＵＥは、パワーレベルを維持する。
【０１３４】
図１９は、様々な態様にしたがって、管理方法について、例示的な論理をハイライトする。管理方法１９００は、同期及び非同期の直交システムの両方を頑健に処理するＵＥベースのセル間干渉緩和システムのためである。１９０４において、与えられたサービングセルにおける各ＵＥについては、ＵＥは、サービングセルが同期あるいは非同期のモードにおいて動作しているかどうかを示してサービングセルタイプのメッセージを受信する。１９０６において、ＵＳは、サービングセルが同期あるいは非同期であるかどうかを決定する、あるいは、通告する。セルが同期である場合には、プロセスは、ＵＳがバイナリサブ帯域ロードデータについてサービングセルあるいは近隣セルを見る１９１８に移行する。１９０６においてセルが非同期である場合には、プロセスは、ＵＥの性能が評価される１９１２に移行する。もしＵＥが高度化された性能(advanced capabilities)を有していることが考えられる場合には、プロセスは、１９１８に移行する。もしＵＳが基本機能を有することが考えられる場合には、処理は、ＵＥがバックホールされたバイナリサブ帯域データについてサービングセルを見る１９１６に移行する。ブロック１９１８は、様々な利点（例、より早い近隣セル検出、近隣セルロードデータは、近隣セルから直接得られる）を意味する。他の機能性の少ないＵＥ(less capable UE)については、パス１９１６は、ＵＥのサービングセルから送信される、また、バックホールチャネルを通じて得られる、新規のバイナリサブ帯域ロードデータをまだ供給するであろう。いずれのパスにおいても、サブ帯域ごとのバイナリロードデータが得られ、１９２０における比較が起こることができる。
【０１３５】
この時点で、図７で示されているより良質の粒度は、与えられた帯域幅の異なるサブ帯域において動作しているより多くのＵＥのために増大された空間(room)でステップ１９２２あるいは１９２４のいずれかを取る制御命令をＵＥに供給するであろう。
【０１３６】
図２０及び２１と対比させられることができ、より少ない頑健の従来の代替(the less robust conventional alternatives)を示す。図２０において、開始２００２のときに、ＵＥは、サービングセルタイプのメッセージ２００４を受信し、サービングセルタイプは、ＵＥの次のステップ２０１８を命令する。ここで、近隣セルの全体の帯域幅は、近隣セルから直接的に、また、早く得られ、サービングセル２０２０からのロードデータと比較される。ＵＥにとってあまり効率的でない命令（例えば、整帯域内で非干渉している異なるサブ帯域を使用しているＵＥは、それらが実際にはそうでなくても、干渉をもたらすものとして示されるであろう）が命令され、２０２２あるいは２０２４のいずれかが、そのあとで、採択されるであろう。
【０１３７】
図２１において、開始２１０２におけるＵＥは、ステップ２１１６を命令するサービングセルタイプのメッセージ２１０４を受信する。ここで、サービングセルによって供給されるようにより遅いバックホールチャネルからの全体の帯域幅は、サービングセル２１２０におけるＵＥ帯域幅を得られ、そして比較される。ＵＥについてのあまり効率的でない命令（例えば、整合帯域内で非干渉している異なるサブ帯域を使用しているＵＥは、それらが実際にそうでなくても、干渉をもたらすものとして示されるであろう）が命令され、２１２２あるいは２１２４のいずれかが、そのあとで、採択されるであろう。ＵＥ性能は、無視される。図２０及び２１において表されているようなシステムはまた、サービングセルシステムがパスに命令するので、あまりＵＥベースではない(less UE based)。
【０１３８】
図２２は、異なるサブ帯域について、異なる及びフレキシブルセルメトリックオペレーションレベルを可能にすることによって、セルリソース管理を容易にするシステム２２００を図示する。システム２２００は、さらにセル間干渉を緩和することも容易にする。
【０１３９】
コンポーネント２２０２は、セル帯域幅をＮ個のサブ帯域に分割する（Ｎは、整数＞２である）。コンポーネント２２１６は、それぞれのサブ帯域を、それぞれのユーザ機器（ＵＥ）に割り当てており、また、コンポーネント２２０４は、それぞれのサブ帯域にシステムメトリック特性を割り当てる。様々な割り当てのプロトコルがサブ帯域とシステムメトリック特性割り当てを行なうことに関連して利用されることができるということは、理解されるべきである。例えば、それぞれのサブ帯域は、特定の目的（例、データタイプ、パワーレベル、距離、干渉緩和、ロードバランシング…）のために指定されることができ、また、ＵＥｓは、それに対する近接の機能としてサブ帯域にそれぞれ割り当てられることができる。別の例においては、コンポーネント２２１８（例、人工知能を使用している）によって利用される最適化スキームは、割り当てに関連して利用されることができる。同様に、外部情報（例、環境要因、優先、ＱｏＳ、顧客選好、顧客ランキング、履歴情報）が利用されることができる。様々なソースからの情報は、データストア２２２６において含まれることができる。別の例において、割り当ては、単一のセルあるいは複数のセルにわたるロードバランシングの機能であってもよい。
【０１４０】
コンポーネント２２１０がサービングセルの制御下でＵＥ(UE’s)にコマンド及び特性をブロードキャストする一方で、コンポーネント２２０６は、サブ帯域の割り当てをトラッキングし、コンポーネント２２１２は、近隣セルにサブ帯域の割り当てをブロードキャストする（例えば、サブ帯域の割り当てのそのような近隣セルにおいて基地局あるいはＵＥｓに通告するために）。コンポーネント２２１４は、近隣セルサブ帯域の割り当てをモニタするが、コンポーネント２２０８は、システム特性をモニタする。コンポーネント２２２０は、衝突がそのようなモニタリングの機能として存在するかを決定し、また、衝突がサブ帯域の割り当てに関して存在するということが決定される場合には、コンポーネント２２２６は、例えば衝突によって、セル間干渉を緩和することに関連してパワーを減らすために、制御情報を特定のＵＥｓに送る。コンポーネント２２２６は、他のシステムオペレーショナル制御特性(operational control characteristics)についてサブ帯域の割り当てをさらに変更することができる。衝突が存在しない場合には、コンポーネント２２２２は、パワーレベルを維持するためにＵＥｓに対して制御情報を送る。コンポーネント２２２２は、サブ帯域に関連づけられた他のシステムの特性データをさらに維持する。
【０１４１】
ソフトウェアインプリメンテーションの場合、ここに説明された技術は、ここに説明された機能を実行するモジュール（例、プロシージャ、機能、など）でインプリメントされることが出来る。ソフトウェアコードは、メモリユニットに保存され、プロセッサによって実行されることが出来る。メモリユニットは、プロセッサ内で、あるいはプロセッサの外部で、インプリメントされてもよく、この場合には、それは、当技術分野において知られているように、さまざまな様々な手段を介してプロセッサに通信的に結合されることが出来る。
【０１４２】
上記で説明されてきたものは、１つまたは複数の実施形態を含む。前述の実施形態を説明する目的のためにすべての考えられるだけのコンポーネントあるいは方法の組み合わせを記述することは、勿論、可能ではないが、当業者は、様々な実施形態の多くのさらなる組み合わせと並び替えが可能であることを理解することが出来る。したがって、説明された実施形態は、添付された特許請求の範囲の精神および範囲の中に入る、すべてのそのような変更、修正、および変形を包含するように意図されている。さらに、用語「含む(includes)」が、詳細な説明あるいは特許請求の範囲のいずれかにおいて使用されている範囲内において、そのような用語は、用語「備えている(comprising)」がトランジショナルワード(transitional word)として請求項において使用されるときに解釈されるように、用語「備えている(comprising)」と同様な方法で包括的であるように意図されている。
以下に本件出願当初の特許請求の範囲に記載された発明を付記する。
［Ｃ１］
リソース管理を容易にする方法であって、
異なるサブ帯域についての異なるおよびフレキシブルなセルメトリックオペレーションのレベルを可能にすること、
を備えている方法。
［Ｃ２］
前記のセルメトリックオペレーションのレベルは、周波数ドメイン、時間ドメイン、あるいはそれらの組み合わせにおいても可能である、［Ｃ１］に記載の方法。
［Ｃ３］
前記のセルメトリックオペレーションは、アップリンクロードメトリックオペレーションである、［Ｃ２］に記載の方法。
［Ｃ４］
前記アップリンクロードメトリックがＩｏＴである場合、
サブ帯域ｎ＝１、…、ＮについてのＩｏＴｔｈ（ｎ）としてターゲットＩｏＴオペレーションを示し、
次の
【数５】
0005559285.tif 000006
を可能にする、
［Ｃ３］に記載の方法。
［Ｃ５］
前記アップリンクロードメトリックがＲｏＴである場合、
サブ帯域ｎ＝１、…、ＮについてのＲｏＴｔｈ（ｎ）としてターゲットＲｏＴオペレーションを示し、
次の
【数６】
0005559285.tif 000007
を可能にする、
［Ｃ３］に記載の方法。
［Ｃ６］
サブ帯域グループごとのベースで、ロード制御コマンドを生成すること、
をさらに備えており、前記サブ帯域のグループは、ｎ＝１から成ることができ、ｎ＝Ｎ個のサブ帯域であり、Ｎ＝サブ帯域のトータル数である、
［Ｃ３］に記載の方法。
［Ｃ７］
ロード制御についてエアインタフェースにわたって割り付けられたビットの機能として前記ロード制御コマンドの伝送を変化させること、
をさらに備えている［Ｃ６］に記載の方法。
［Ｃ８］
無線にわたって１度に１つのサブ帯域グループロード制御と、徐々に全サブ帯域のグループを通じたサイクルを、送信すること、をさらに備えている［Ｃ６］に記載の方法。
［Ｃ９］
前記ロード制御コマンドは、本質的に可変であり、また、
前記のセルにおけるＵＥのインデックスと、
前記のセルにおけるサブ帯域のインデックスと、
存在する場合には、部分周波数繰り返し要因のインデックスと、
にしたがって変化する、
［Ｃ６に記載方法。
［Ｃ１０］
前記セルメトリックのオペレーションは、アドミッション制御メトリックのオペレーションである、［Ｃ２］に記載の方法。
［Ｃ１１］
前記セルメトリックは、混雑制御メトリックオペレーションである、［Ｃ２］に記載の方法。
［Ｃ１２］
前記セルメトリックオペレーションは、シグナルハンドオフ制御メトリックオペレーションである、［Ｃ２］に記載の方法。
［Ｃ１３］
ユーザ機器が異なるサブ帯域のグループのコマンドについて異なるように反応するように、異なる及びフレキシブルなサブ帯域のアップリンクロードコマンドに応答する方法。
［Ｃ１４］
前記の応答は、保守的な応答である、［Ｃ１３］に記載の方法。
［Ｃ１５］
前記の応答は、積極的な応答である、［Ｃ１３］に記載の方法。
［Ｃ１６］
前記の応答は、比例応答である、［Ｃ１３］に記載の方法。
［Ｃ１７］
前記の応答は、時間比例応答である、［Ｃ１３］に記載の方法。
［Ｃ１８］
異なるサブ帯域について異なる及びフレキシブルなセルメトリックのオペレーションのレベルを可能にするためのコンピュータ実施可能コードをコンピュータ可読媒体上で保存する、コンピュータ可読媒体。
［Ｃ１９］
前記のセルメトリックオペレーションのレベルは、周波数ドメイン、時間ドメイン、あるいは、それらの組み合わせ、においても可能である、［Ｃ１８］に記載のコンピュータ可読メディア。
［Ｃ２０］
前記のセルメトリックオペレーションは、アップリンクロードメトリックオペレーションである、［Ｃ１９］に記載のコンピュータ可読媒体。
［Ｃ２１］
前記アップリンクロードメトリックがＩｏＴである場合、
サブ帯域ｎ＝１、…、ＮについてのＩｏＴｔｈ（ｎ）としてターゲットＩｏＴオペレーションを示し、
次の
【数７】
0005559285.tif 000008
を可能にする、
［Ｃ２０］に記載のコンピュータ可読媒体。
［Ｃ２２］
前記アップリンクロードメトリックがＲｏＴである場合、
サブ帯域ｎ＝１、…、ＮについてのＲｏＴｔｈ（ｎ）としてターゲットＲｏＴオペレーションを示し、
次の
【数８】
0005559285.tif 000009
を可能にする、
［Ｃ２０］に記載のコンピュータ可読媒体。
［Ｃ２３］
サブ帯域グループごとのベースで、ロード制御コマンドを生成するためのコンピュータ実施可能コードをコンピュータ可読媒体上で保存する、［Ｃ２０］に記載のコンピュータ可読媒体。
［Ｃ２４］
ロード制御についてエアインタフェースにわたって割り付けられたビットの機能として前記ロード制御コマンドの伝送を変化させるためのコンピュータ実施可能なコードをコンピュータ可読媒体上で保存する、［Ｃ２３］に記載のコンピュータ可読媒体。
［Ｃ２５］
無線にわたって１度に１つのサブ帯域グループロード制御と、徐々に全サブ帯域のグループを通じたサイクルを、送信するためのコンピュータ実施可能なコードをコンピュータ可読媒体上で保存する、［Ｃ２３］に記載のコンピュータ可読媒体。
［Ｃ２６］
前記のセルにおけるＵＥのインデックスと、
前記のセルにおけるサブ帯域のインデックスと、
存在する場合には、部分周波数繰り返し要因のインデックスと、
にしたがって前記ロード制御コマンドを変化させるためのコンピュータ実施可能なコードをコンピュータ可読媒体上で保存する、［Ｃ２３］に記載のコンピュータ可読媒体。
［Ｃ２７］
前記のセルメトリックのオペレーションは、アドミッション制御メトリックのオペレーションである、［Ｃ１９］に記載のコンピュータ可読媒体。
［Ｃ２８］
前記のセルメトリックは、混雑制御メトリックオペレーションである、［Ｃ１９］に記載のコンピュータ可読媒体。
［Ｃ２９］
前記のセルメトリックオペレーションは、シグナルハンドオフ制御メトリックオペレーションである、［Ｃ１９］に記載のコンピュータ可読媒体。
［Ｃ３０］
ユーザ機器の実施が異なるサブ帯域のグループのコマンドについて異なるように反応する際に、異なる及びフレキシブルなサブ帯域のアップリンクロードコマンドに応答するためのコンピュータ実施可能コードをコンピュータ可読媒体上で保存している、コンピュータ可読媒体。
［Ｃ３１］
前記の反応は、保守的な応答である、［Ｃ３０］に記載のコンピュータ可読媒体。
［Ｃ３２］
前記の反応は、積極的な応答である、［Ｃ３０］に記載のコンピュータ可読媒体。
［Ｃ３３］
前記の反応は、比例応答である、［Ｃ３０］に記載のコンピュータ可読媒体。
［Ｃ３４］
前記の反応は、時間比例応答である、［Ｃ３０］に記載のコンピュータ可読媒体。
［Ｃ３５］
異なるサブ帯域について異なるおよびフレキシブルなセルメトリックオペレーションのレベルを可能にするコードを実施する、プロセッサ。
［Ｃ３６］
前記のセルメトリックオペレーションのレベルは、周波数ドメイン、時間ドメイン、あるいは、それらの組み合わせ、においても可能である、［Ｃ３５］に記載のプロセッサ。
［Ｃ３７］
前記のセルメトリックオペレーションは、アップリンクロードメトリックオペレーションである、［Ｃ３６］に記載のプロセッサ。
［Ｃ３８］
前記アップリンクロードメトリックがＩｏＴである場合、
サブ帯域ｎ＝１、…、ＮについてのＩｏＴｔｈ（ｎ）として、ターゲットＩｏＴオペレーションを示すコードを実行し、そして、次の
【数９】
0005559285.tif 000010
を可能にする、
［Ｃ３７］に記載のプロセッサ。
［Ｃ３９］
前記アップリンクロードメトリックがＲｏＴである場合、
サブ帯域ｎ＝１、…、ＮについてのＲｏＴｔｈ（ｎ）としてターゲットＲｏＴオペレーションを示すコードを実行し、
次の
【数１０】
0005559285.tif 000011
を可能にする、
［Ｃ３７］に記載のプロセッサ。
［Ｃ４０］
サブ帯域グループごとのベースで、ロード制御コマンドを生成するコードを実施する、［Ｃ３７］に記載のプロセッサ。
［Ｃ４１］
ロード制御についてエアインタフェースにわたって割り付けられたビットの機能として前記ロード制御コマンドの伝送を変化させるコードを実施する、［Ｃ４０］に記載のプロセッサ。
［Ｃ４２］
無線にわたって１度に１つのサブ帯域グループロード制御と、徐々に全サブ帯域のグループを通じたサイクルを、送信するコードを実行する、［Ｃ４０］に記載のプロセッサ。
［Ｃ４３］
前記のセルにおけるＵＥのインデックスと、
前記のセルにおけるサブ帯域のインデックスと、
存在する場合には、部分周波数繰り返し要因のインデックスと、
にしたがって前記ロード制御コマンドを変化させるコードを実行する、
［Ｃ４０］に記載のプロセッサ。
［Ｃ４４］
前記のセルメトリックのオペレーションは、アドミッション制御メトリックのオペレーションである、［Ｃ３６］に記載のプロセッサ。
［Ｃ４５］
前記のセルメトリックは、混雑制御メトリックオペレーションである、［Ｃ３６］に記載のプロセッサ。
［Ｃ４６］
前記のセルメトリックオペレーションは、シグナルハンドオフ制御メトリックオペレーションである、［Ｃ３６］に記載のプロセッサ。
［Ｃ４７］
ユーザ機器の実施が異なるサブ帯域のグループのコマンドについて異なるように反応するように、異なる及びフレキシブルなサブ帯域のアップリンクロードコマンドに応答するコードを実行する、プロセッサ。
［Ｃ４８］
前記の反応は、保守的な応答である、［Ｃ４７］に記載のプロセッサ。
［Ｃ４９］
前記の反応は、積極的な応答である、［Ｃ４７］に記載のプロセッサ。
［Ｃ５０］
前記の反応は、比例応答である、［Ｃ４７］に記載のプロセッサ。
［Ｃ５１］
前記の反応は、時間比例応答である、［Ｃ４７］に記載のプロセッサ。
［Ｃ５２］
異なるサブ帯域について異なるおよびフレキシブルなセルメトリックオペレーションのレベルを可能にするための手段を備えているセルリソース管理を容易にするシステム。
［Ｃ５３］
前記の可能にするための手段は、セルメトリックオペレーションのレベルが、周波数ドメイン、時間ドメイン、あるいは、それらの組み合わせ、においてあるようにすることを可能にする、［Ｃ５２］に記載のシステム。
［Ｃ５４］
異なるサブ帯域についての、異なるおよびフレキシブルなアップリンクロードメトリックオペレーションのレベルを可能にするための手段、を備えている［Ｃ５３］に記載のシステム。
［Ｃ５５］
アップリンクロードメトリックがＩｏＴになることを可能にするための手段と、
サブ帯域ｎ＝１、…、ＮについてのＩｏＴｔｈ（ｎ）として、ターゲットＩｏＴオペレーションを示すための手段と、
次の
【数１１】
0005559285.tif 000012
を可能にするための手段と、
を備えている［Ｃ５４］に記載のシステム。
［Ｃ５６］
前記アップリンクロードメトリックがＲｏＴとなることを可能にするための手段と、
サブ帯域ｎ＝１、…、ＮについてのＲｏＴｔｈ（ｎ）としてターゲットＲｏＴオペレーションを示すための手段と、
次の
【数１２】
0005559285.tif 000013
を可能にするための手段と、
を備えている［Ｃ５４］に記載のシステム。
［Ｃ５７］
サブ帯域グループごとのベースで、ロード制御コマンドを生成するための手段、をさらに備えている［Ｃ５４］に記載のシステム。
［Ｃ５８］
ロード制御についてエアインタフェースにわたって割り付けられたビットの機能として前記ロード制御コマンドの伝送を変化させるための手段、をさらに備えている［Ｃ５７］に記載のシステム。
［Ｃ５９］
無線にわたって１度に１つのサブ帯域グループロード制御を送信し、徐々に全サブ帯域のグループを通じてサイクリングするための手段、をさらに備えている［Ｃ５７］に記載のシステム。
［Ｃ６０］
前記のセルにおけるＵＥのインデックスと、
前記のセルにおけるサブ帯域のインデックスと、
存在する場合には、部分周波数繰り返し要因のインデックスと、
にしたがって前記ロード制御コマンドを変化させるための手段をさらに備えている、
［Ｃ５７］に記載のシステム。
［Ｃ６１］
異なるサブ帯域について異なる及びフレキシブルなアドミッション制御メトリックオペレーションレベルを可能にするための手段、を備えている［Ｃ５３］に記載のシステム。
［Ｃ６２］
異なるサブ帯域について異なる及びフレキシブルな混雑制御メトリックオペレーションのレベルを可能にするための手段、を備えている、［Ｃ５３］に記載のシステム。
［Ｃ６３］
異なるサブ帯域について異なる及びフレキシブルなシグナルハンドオフ制御メトリックオペレーションのレベルを可能にするための手段を備えている、［Ｃ５３］に記載のシステム。
［Ｃ６４］
ユーザ機器は異なるサブ帯域グループのコマンドについて異なるように反応するように、異なる及びフレキシブルなサブ帯域アップリンクロードコマンドに応答するための手段を備えているセルリソース管理を容易にするシステム。
［Ｃ６５］
前記の応答手段は、保守的な応答である、［Ｃ６４］に記載のシステム。
［Ｃ６６］
前記の応答手段は、積極的な応答である、［Ｃ６４］に記載のシステム。
［Ｃ６７］
前記の応答手段は、比例応答である、［Ｃ６４］に記載のシステム。
［Ｃ６８］
前記の応答手段は、時間比例応答である、［Ｃ６４］に記載のシステム。
［Ｃ６９］
記憶媒体と、前記記憶媒体上で保存された、異なるサブ帯域について異なる及びフレキシブルなセルメトリックオペレーションのレベルを可能にするためのコンピュータ実施可能インストラクションを備えている；
前記の保存されたコードを実行するプロセッサと；
を備えている装置。
［Ｃ７０］
前記のセルメトリックオペレーションのレベルが、周波数ドメイン、時間ドメイン、あるいはそれらの組み合わせ、においても可能である、［Ｃ６９］に記載の装置。
［Ｃ７１］
前記のセルメトリックのオペレーションは、アップリンクロードメトリックオペレーションである、［Ｃ７０］に記載の装置。
［Ｃ７２］
前記アップリンクロードメトリックはＩｏＴであり、
サブ帯域ｎ＝１、…、ＮについてのＩｏＴｔｈ（ｎ）として、ターゲットＩｏＴオペレーションを示し、
次の
【数１３】
0005559285.tif 000014
を可能にする、
［Ｃ７１］に記載の装置。
［Ｃ７３］
前記アップリンクロードメトリックはＲｏＴであり、
サブ帯域ｎ＝１、…、ＮについてのＲｏＴｔｈ（ｎ）としてターゲットＲｏＴオペレーションを示し、
次の
【数１４】
0005559285.tif 000015
を可能にする、
［Ｃ７１］に記載の装置。
［Ｃ７４］
前記記憶媒体は、前記記憶媒体上で、サブ帯域グループごとのベースで、ロード制御コマンドを生成するためのコンピュータ可読インストラクションを保存している、［Ｃ７１］に記載の装置。
［Ｃ７５］
前記記憶媒体は、前記記憶媒体上で、ロード制御についてエアインタフェースにわたって割り付けられたビットの機能として前記ロード制御コマンドの伝送を変化させるためのコンピュータ可読インストラクションを保存している、［Ｃ７４］に記載の装置。
［Ｃ７６］
前記記憶媒体は、前記記憶媒体上で、無線にわたって１度に１つのサブ帯域グループロード制御と、徐々に全サブ帯域のグループを通じたサイクルと、を送信するためのコンピュータ可読インストラクションを保存している、［Ｃ７４］に記載の装置。
［Ｃ７７］
前記のセルにおけるＵＥのインデックスと、
前記のセルにおけるサブ帯域のインデックスと、
存在する場合には、部分周波数繰り返し要因のインデックスと、
にしたがって、前記記憶媒体は、前記記憶媒体上で、前記ロード制御コマンドを変化させるためのコンピュータ可読インストラクションを保存している、
［Ｃ７４］に記載の装置。
［Ｃ７８］
前記のセルメトリックオペレーションは、アドミッション制御メトリックオペレーションである、［Ｃ７０］に記載の装置。
［Ｃ７９］
前記のセルメトリックオペレーションは、混雑制御メトリックオペレーションである、［Ｃ７０］に記載の装置。
［Ｃ８０］
前記のセルメトリックオペレーションは、シグナルハンドオフ制御メトリックオペレーションである、［Ｃ７０］に記載の装置。
［Ｃ８１］
記憶媒体と、ユーザ機器が異なるサブ帯域グループの命令について異なるように反応するように異なる及びフレキシブルなサブ帯域アップリンクロードコマンドに応答するための、前記記憶媒体上で保存されるコンピュータ実施可能なインストラクションを備えている；
前記の保存されたコードを実行するプロセッサと；
を備えている装置。
［Ｃ８２］
前記の実施された反応は、保守的な応答である、［Ｃ８１］に記載の装置。
［Ｃ８３］
前記の実施された反応は、積極的な応答である、［Ｃ８１］に記載の装置。
［Ｃ８４］
前記の実施された反応は、比例応答である、［Ｃ８１］に記載の装置。
［Ｃ８５］
前記の実施された反応は、時間比例応答である、［Ｃ８１］に記載の装置。
［Ｃ８６］
セル間干渉の緩和を容易にする方法であって、
Ｎ個のサブ帯域にセル帯域を分割することと、なお、Ｎは整数＞２である；
それぞれのユーザ機器（ＵＥｓ）に対して前記それぞれのサブ帯域を割り当てることと；
サブ帯域の割り当てをトラッキングすることと；
近隣セルに対してサブ帯域の割り当てをブロードキャストすることと；
を備えている方法。
［Ｃ８７］
近隣セルのサブ帯域の割り当てをモニタリングすることを備えている、［Ｃ８６］に記載の方法。
［Ｃ８８］
サブ帯域の割り当ての衝突が存在するかを決定することを備えている、［Ｃ８７］に記載の方法。
［Ｃ８９］
衝突が存在する場合に、パワーを減らすために少なくとも１つのＵＥに対して制御情報を送ることを備えている、［Ｃ８８］に記載の方法。
［Ｃ９０］
衝突がない場合には、パワーを維持するために少なくとも１つのＵＥに対して制御情報を送ることを備えている、［Ｃ８８］に記載の方法。
［Ｃ９１］
サブ帯域ごとにバイナリ値づけられたロードインジケータデータを供給することを備えている、［Ｃ８６］に記載の方法。
［Ｃ９２］
ＵＥベースのロード管理スキームを使用することを備えており、なお、前記管理スキームは、少なくとも同期および非同期のサービングセルのタイプを処理し、決定がＵＥＴｘＰＳＤ変更決定をレンダする様々な機能でＵＥｓに基づかれることを可能にする、［Ｃ８６］に記載の方法。
［Ｃ９３］
前記ＵＥベースのロード管理スキームは、セルからその近隣セルまでのバックホールチャネルを通じて、サービングセル及び近隣の非サービングセルのバイナリ値づけられたロードインジケータのデータを送信する、［Ｃ９２］に記載の方法。
［Ｃ９４］
前記ＵＥベースのロード管理スキームは、セルからその近隣セルまで直接に、サービングセル及び近隣の非サービングセルを送信する、［Ｃ９２］に記載の方法。
［Ｃ９５］
コンピュータ可読記憶媒体であって、前記コンピュータ可読記憶媒体上で、
セル帯域幅をＮ個のサブ帯域に分けること、ここではＮは、整数＞２である；
それぞれのユーザ機器（ＵＥｓ）に対して、前記のそれぞれのサブ帯域を割り当てることと；
サブ帯域の割り当てをトラッキングすることと；
近隣セルに対してサブ帯域の割り当てをブロードキャストすることと；
を備えている動作、
を実行するコンピュータ可読インストラクション、
を保存している、コンピュータ可読記憶媒体。
［Ｃ９６］
前記コンピュータ可読記憶媒体上で、近隣セルのサブ帯域の割り当てをモニタするためのコンピュータ可読インストラクションを保存している、［Ｃ９５］に記載のコンピュータ可読記憶媒体。
［Ｃ９７］
前記コンピュータ可読記憶媒体上で、サブ帯域の割り当ての衝突が存在するかを決定するためのコンピュータ可読インストラクションを保存する、［Ｃ９５］に記載のコンピュータ可読記憶媒体。
［Ｃ９８］
衝突が存在する場合には、前記コンピュータ可読記憶媒体上で、パワーを減らす少なくとも１つのＵＥに対して制御情報を送信するコンピュータ可読インストラクションを保存する、［Ｃ９７］に記載のコンピュータ可読記憶媒体。
［Ｃ９９］
衝突がない場合には、前記コンピュータ可読記憶媒体上で、パワーを維持する少なくとも１つのＵＥに対して制御情報を送信するコンピュータ可読インストラクションを保存する、［Ｃ９７］に記載のコンピュータ可読記憶媒体。
［Ｃ１００］
前記コンピュータ可読記憶媒体上で、サブ帯域ごとにバイナリ値づけられたロードインジケータを供給するコンピュータ可読インストラクションを保存している、［Ｃ９５］に記載のコンピュータ可読記憶媒体。
［Ｃ１０１］
前記コンピュータ可読記憶媒体上で、ＵＥベースのロード管理スキームを使用するためのコンピュータ可読インストラクションを保存しており、なお、前記管理スキームは、少なくとも同期および非同期のサービングセルタイプを処理し、ＵＥＴｘＰＳＤ変更決定をレンダする様々な機能を備えたＵＥｓに基づかれる決定を可能にする、［Ｃ９５］に記載のコンピュータ可読記憶媒体。
［Ｃ１０２］
記憶媒体と、なお、前記記憶媒体上で、次の動作、
セル帯域をＮ個のサブ帯域に分けることと、なお、Ｎは、整数＞２である、
それぞれのユーザ機器（ＵＥｓ）に前記それぞれのサブ帯域を割り当てることと、
サブ帯域の割り当てをトラッキングすることと、
近隣セルに対してサブ帯域の割り当てをブロードキャストすることと、
を実行するコンピュータ実施可能なインストラクションを備えている；
前記コンピュータ実施可能インストラクションを実行するプロセッサと；
を備えている装置。
［Ｃ１０３］
前記記憶媒体は、前記記憶媒体上で、近隣セルサブ帯域の割り当てをモニタするためのコンピュータ可読インストラクションを保存している、［Ｃ１０２］に記載の装置。
［Ｃ１０４］
前記記憶媒体は、前記記憶媒体上で、サブ帯域の割り当ての衝突が存在するかを決定するためのコンピュータ可読インストラクションを保存する、［Ｃ１０２］に記載の装置。
［Ｃ１０５］
衝突が存在する場合には、前記記憶媒体は、前記記憶媒体上で、パワーを減らすために少なくとも１つのＵＥに制御情報を送信するためのコンピュータ可読インストラクションを保存している、［Ｃ１０２］に記載の装置。
［Ｃ１０６］
衝突が存在しない場合には、前記記憶媒体は、前記記憶媒体上で、パワーを維持するために少なくとも１つのＵＥに制御情報を送信するコンピュータ可読インストラクションを保存している、［Ｃ１０２］に記載の装置。
［Ｃ１０７］
前記記憶媒体は、それ上でサブ帯域ごとにバイナリ値づけられたロードインジケータデータを供給しているコンピュータ可読インストラクションを保存している、［Ｃ１０２］に記載の装置。
［Ｃ１０８］
前記記憶媒体は、前記記憶媒体上で、ＵＥベースのロード管理スキームを使用しているコンピュータ可読インストラクションを保存しており、なお、前記の管理スキームは、少なくとも同期および非同期のサービングセルタイプを処理し、ＵＥＴｘＰＳＤ変更決定をレンダする様々な機能でＵＥｓに基づかれるような決定を可能にする、［Ｃ１０２］に記載の装置。
［Ｃ１０９］
セル間干渉の緩和を容易にするシステムであって、
セル帯域をＮ個のサブ帯域に分けるための手段と、なお、Ｎは、整数＞２である；
それぞれのユーザ機器（ＵＥｓ）に対して前記のそれぞれのサブ帯域を割り当てるための手段と；
サブ帯域の割り当てをトラッキングするための手段と；
近隣セルにサブ帯域の割り当てをブロードキャストするための手段と；
を備えている、
システム。
［Ｃ１１０］
近隣セルのサブ帯域の割り当てをモニタするための手段を備えている、［Ｃ１０９］に記載のシステム。
［Ｃ１１１］
サブ帯域の割り当ての衝突が存在するかを決定するための手段を備えている、［Ｃ１０９］に記載のシステム。
［Ｃ１１２］
衝突が存在する場合には、パワーを減らすために、少なくとも１つのＵＥに制御情報を送信するための手段を備えている、［Ｃ１０９］に記載のシステム。
［Ｃ１１３］
衝突が存在しない場合には、パワーを維持するために、少なくとも１つのＵＥに制御情報を送信するための手段を備えている、［Ｃ１０９］に記載のシステム。
［Ｃ１１４］
セル間の干渉の緩和を容易にする方法であって、
割り当てられたサブ帯域を受信することと、
ユーザ機器（ＵＥ）の機能を識別することと、
を備えており、
前記ＵＥが機能スレッシュホールドを満たす場合にはサブ帯域インジケータデータを衝突させる近隣セルを見て、
もし衝突が存在する場合には、ＵＥパワーを減らし、
もし衝突が存在しない場合には、ＵＥパワーを維持する、
方法。
［Ｃ１１５］
近隣セルサブ帯域の割り当てをモニタすることを備えている、［Ｃ１１４］に記載の方法。
［Ｃ１１６］
サブ帯域の割り当ての衝突が存在するかを決定することを備えている、［Ｃ１１５］に記載の方法。
［Ｃ１１７］
パワーを減らす制御情報を受信することを備えている、［Ｃ１１４］に記載の方法。
［Ｃ１１８］
パワーを維持することを備えている、［Ｃ１１４］に記載の方法。
［Ｃ１１９］
サブ帯域ごとにバイナリ値づけられたロードインジケータデータを受信することを備えている、［Ｃ１１４］に記載の方法。
［Ｃ１２０］
セルからその近隣セルまでのバックホールチャネルを通じて、サービングセル及び近隣の非サービングセルのバイナリ値づけられたロードインジケータのデータを受信することを備えている、［Ｃ１１４］に記載の方法。
［Ｃ１２１］
コンピュータ可読媒体であって、前記コンピュータ可読媒体上で、
割り当てられたサブ帯域を受信することと、
ユーザ機器（ＵＥ）の性能を識別することと、
前記ＵＥが機能スレッシュホールドを満たす場合には、サブ帯域のロードインジケータのデータを衝突させることについて近隣セルを見ることと、
衝突が存在する場合には、ＵＥパワーを減らすことと、
衝突が存在しない場合には、ＵＥパワーを維持することと、
を備えている動作、
を実行するためのコンピュータ可読インストラクション、
を保存している、
コンピュータ可読媒体。
［Ｃ１２２］
コンピュータ可読インストラクション上で保存された、近隣セルのサブ帯域の割り当てをモニタするコンピュータ可読インストラクションを、コンピュータ可読記憶媒体上で保存している、［Ｃ１２１］に記載のコンピュータ可読記憶媒体。
［Ｃ１２３］
コンピュータ可読インストラクション上で保存された、サブ帯域の割り当ての衝突が存在するかを決定するコンピュータ可読インストラクションを、コンピュータ可読記憶媒体上で保存している、［Ｃ１２１］に記載のコンピュータ可読記憶媒体。
［Ｃ１２４］
コンピュータ可読インストラクション上で保存された、パワーを減らすために、制御情報を受信するコンピュータ可読インストラクションを、コンピュータ可読記憶媒体上で保存している、［Ｃ１２１］に記載のコンピュータ可読記憶媒体。
［Ｃ１２５］
コンピュータ可読インストラクション上で保存された、パワーを維持するコンピュータ可読インストラクションを、コンピュータ可読記憶媒体上で保存している、［Ｃ１２１］に記載のコンピュータ可読記憶媒体。
［Ｃ１２６］
コンピュータ可読インストラクション上で保存されたサブ帯域ごとにバイナリ値づけられたロードインジケータデータを受信するコンピュータ可読インストラクションを、コンピュータ可読記憶媒体上で保存している、［Ｃ１２１］に記載のコンピュータ可読記憶媒体。
［Ｃ１２７］
コンピュータ可読インストラクションで保存された、セルからその近隣セルまでのバックホールチャネルを通じて、サービングセル及び近隣の非サービングセルのバイナリ値づけられたロードインジケータのデータを受信するコンピュータ可読インストラクションを、コンピュータ可読記憶媒体上で保存している、［Ｃ１２１］に記載のコンピュータ可読記憶媒体。
［Ｃ１２８］
次の動作、すなわち、
割り当てられたサブ帯域を受信すること、
ユーザ機器（ＵＥ）の機能を識別すること、
前記ＵＥが機能スレッシュホールドを満たす場合には、サブ帯域のロードインジケータデータを衝突させることについて近隣セルを見ること、
もし衝突が存在する場合には、ＵＥパワーを減らすこと、
もし衝突が存在しない場合には、ＵＥパワーを維持すること、
を実行するために保存されたコンピュータ実施可能なインストラクションを備えている記憶媒体と；
前記コンピュータの実施可能なインストラクションを実行するプロセッサと；
を備えている装置。
［Ｃ１２９］
前記コンピュータ可読媒体は、前記コンピュータ可読媒体上で、近隣セルのサブ帯域の割り当てをモニタするためのコンピュータ可読インストラクションを保存している、［Ｃ１２８］に記載の装置。
［Ｃ１３０］
前記コンピュータ可読媒体は、前記コンピュータ可読媒体上で、サブ帯域の割り当ての衝突が存在するかを決定するためのコンピュータ可読インストラクションを保存している、［Ｃ１２８］に記載の装置。
［Ｃ１３１］
前記コンピュータ可読記憶媒体は、前記コンピュータ可読媒体上で、パワーを減らすために制御情報を受信するためのコンピュータ可読インストラクションを保存している、［Ｃ１２８］に記載の装置。
［Ｃ１３２］
前記コンピュータ可読記憶媒体は、前記コンピュータ可読媒体上で、パワーを維持するためのコンピュータ可読インストラクションを保存している、［Ｃ１２８］に記載の装置。
［Ｃ１３３］
前記コンピュータ可読記憶媒体は、前記コンピュータ可読媒体上で、サブ帯域ごとにバイナリ値づけられたインジケータデータを受信するためのコンピュータ可読インストラクションを保存している、［Ｃ１２８］に記載の装置。
［Ｃ１３４］
前記コンピュータ可読記憶媒体は、前記コンピュータ可読媒体上で、セルからその近隣セルまでのバックホールチャネルを通じて、サービングセル及び近隣の非サービングセルのバイナリ値づけられたロードインジケータのデータを受信するためのコンピュータ可読インストラクションを保存している、［Ｃ１２８］に記載の装置。
【図１】
0005559285.tif 000016
【図２】
0005559285.tif 000017
【図３】
0005559285.tif 000018
【図４】
0005559285.tif 000019
【図５】
0005559285.tif 000020
【図６Ａ】
0005559285.tif 000021
【図６Ｂ】
0005559285.tif 000022
【図７Ａ】
0005559285.tif 000023
【図７Ｂ】
0005559285.tif 000024
【図８】
0005559285.tif 000025
【図９】
0005559285.tif 000026
【図１０】
0005559285.tif 000027
【図１１】
0005559285.tif 000028
【図１２】
0005559285.tif 000029
【図１３】
0005559285.tif 000030
【図１４】
0005559285.tif 000031
【図１５】
0005559285.tif 000032
【図１６】
0005559285.tif 000033
【図１７】
0005559285.tif 000034
【図１８】
0005559285.tif 000035
【図１９】
0005559285.tif 000036
【図２０】
0005559285.tif 000037
【図２１】
0005559285.tif 000038
【図２２】
0005559285.tif 000039